(57)【特許請求の範囲】
【請求項１】
アクセスポイントから、第１のポジショニング基準信号（ＰＲＳ）のための第１のシンボル系列と、第２のＰＲＳのための第２のシンボル系列と、支援データとを受信することと、ここにおいて、前記支援データを受信することは、前記アクセスポイントの第１のロケーションと、受動分散要素の第２のロケーションとを受信することを含む、
前記支援データに基づいて、前記第１のＰＲＳを前記アクセスポイントと関連付けること、および前記第２のＰＲＳを前記受動分散要素と関連付けることと、
前記アクセスポイントから、前記第１のシンボル系列を介して前記第１のＰＲＳを受信することと、
前記アクセスポイントに結合された受動分散要素から、前記第１のシンボル系列とは異なる前記第２のシンボル系列を介して前記第２のＰＲＳを受信することと、
前記第２のシンボル系列は、前記アクセスポイントによって割り当てられる前記受動分散要素の識別子の機能に少なくとも部分的に基づいて決定され、前記第２のシンボル系列は、前記受動分散要素が前記第２のＰＲＳを送信するときに前記第２のシンボル系列を使用するように、前記アクセスポイントから前記受動分散要素に送信される、
を備える、ワイヤレス通信装置におけるポジショニング方法。
【請求項２】
前記第１のＰＲＳを前記アクセスポイントと、および前記第２のＰＲＳを前記受動分散要素と関連付けることは、前記支援データに少なくとも部分的に基づく、請求項１に記載の方法。
【請求項３】
前記支援データを受信することは、前記アクセスポイントの第１のロケーションと、前記受動分散要素の第２のロケーションとを受信することを含む、請求項１に記載の方法。
【請求項４】
前記アクセスポイントの前記第１のロケーションおよび前記受動分散要素の前記第２のロケーション、ならびに前記第１のＰＲＳおよび前記第２のＰＲＳに少なくとも部分的に基づいて、ポジションを決定することをさらに備える、請求項３に記載の方法。
【請求項５】
前記支援データを受信することは、前記第１のＰＲＳおよび前記第２のＰＲＳに関係する異なるシンボル系列に関する情報を受信することを含む、請求項１に記載の方法。
【請求項６】
アクセスポイントから、第１のポジショニング基準信号（ＰＲＳ）のための第１のシンボル系列と、第２のＰＲＳのための第２のシンボル系列と、支援データとを受信し、ここにおいて、前記支援データを受信することは、前記アクセスポイントの第１のロケーションと、受動分散要素の第２のロケーションとを受信することを含む、
前記支援データに基づいて、前記第１のＰＲＳを前記アクセスポイントと関連付け、および前記第２のＰＲＳを前記受動分散要素と関連づけ、
前記アクセスポイントから、前記第１のシンボル系列を介して前記第１のＰＲＳを受信し、
前記アクセスポイントに結合された受動分散要素から、前記第１のシンボル系列とは異なる前記第２のシンボル系列を介して前記第２のＰＲＳを受信し、
前記第２のシンボル系列は、前記アクセスポイントによって割り当てられる前記受動分散要素の識別子の機能に少なくとも部分的に基づいて決定され、前記第２のシンボル系列は、前記受動分散要素が前記第２のＰＲＳを送信するときに前記第２のシンボル系列を使用するように、前記アクセスポイントから前記受動分散要素に送信される、
ように構成された、少なくとも１つのプロセッサと、
前記少なくとも１つのプロセッサに結合されたメモリと
を備えるワイヤレス通信装置。
【請求項７】
前記少なくとも１つのプロセッサは、さらに、前記支援データに少なくとも部分的に基づいて、前記アクセスポイントに関係する前記第１のＰＲＳと、前記受動分散要素に関係する前記第２のＰＲＳとを識別するように構成される、請求項６に記載のワイヤレス通信装置。
【請求項８】
前記支援データは、前記アクセスポイントの第１のロケーションと、前記受動分散要素の第２のロケーションとを含む、請求項６に記載のワイヤレス通信装置。
【請求項９】
前記支援データは、前記第１のＰＲＳおよび前記第２のＰＲＳに関係する異なるシンボル系列に関する情報を含む、請求項６に記載のワイヤレス通信装置。
【請求項１０】
アクセスポイントから、第１のポジショニング基準信号（ＰＲＳ）のための第１のシンボル系列と、第２のＰＲＳのための第２のシンボル系列と、支援データとを受信するための手段と、ここにおいて、前記支援データを受信する手段は、前記アクセスポイントの第１のロケーションと、受動分散要素の第２のロケーションとを受信する手段を含む、
前記支援データに基づいて、前記第１のＰＲＳを前記アクセスポイントと関連付け、および前記第２のＰＲＳを前記受動分散要素と関連付けるための手段と、
前記アクセスポイントから、前記第１のシンボル系列を介して前記第１のＰＲＳを受信するための手段と、
前記アクセスポイントに結合された受動分散要素から、前記第１のシンボル系列とは異なる前記第２のシンボル系列を介して前記第２のＰＲＳを受信するための手段と、前記第２のシンボル系列は、前記アクセスポイントによって割り当てられる前記受動分散要素の識別子の機能に少なくとも部分的に基づいて決定され、前記第２のシンボル系列は、前記受動分散要素が前記第２のＰＲＳを送信するときに前記第２のシンボル系列を使用するように、前記アクセスポイントから前記受動分散要素に送信される、
を備える、装置。
【請求項１１】
前記関連付けるための手段は、前記第１のシンボル系列に少なくとも部分的に基づいて、前記第１のＰＲＳを前記アクセスポイントと関連付け、前記関連付けるための手段は、前記第２のシンボル系列に少なくとも部分的に基づいて、前記第２のＰＲＳを前記受動分散要素と関連付ける、請求項１０に記載の装置。
【請求項１２】
前記支援データは、前記アクセスポイントの第１のロケーションと、前記受動分散要素の第２のロケーションとをさらに備える、請求項１０に記載の装置。
【請求項１３】
少なくとも１台のコンピュータに、アクセスポイントから、第１のポジショニング基準信号（ＰＲＳ）のための第１のシンボル系列と、第２のＰＲＳのための第２のシンボル系列と、支援データとを受信させるためのコードと、ここにおいて、前記少なくとも１台のコンピュータに前記支援データを受信させることは、前記少なくとも１台のコンピュータに、前記アクセスポイントの第１のロケーションと、受動分散要素の第２のロケーションとを受信させることを含む、
前記少なくとも１台のコンピュータに、前記支援データに基づいて、前記第１のＰＲＳを前記アクセスポイントと関連づけさせ、および前記第２のＰＲＳを前記受動分散要素と関連付けさせるためのコードと、
前記少なくとも１台のコンピュータに、前記アクセスポイントから、前記第１のシンボル系列を介して前記第１のＰＲＳを受信させるためのコードと、
前記少なくとも１台のコンピュータに、前記アクセスポイントに結合された受動分散要素から、前記第１のシンボル系列とは異なる前記第２のシンボル系列を介して前記第２のＰＲＳを受信させるためのコードと、前記第２のシンボル系列は、前記アクセスポイントによって割り当てられる前記受動分散要素の識別子の機能に少なくとも部分的に基づいて決定され、前記第２のシンボル系列は、前記受動分散要素が前記第２のＰＲＳを送信するときに前記第２のシンボル系列を使用するように、前記アクセスポイントから前記受動分散要素に送信される、
を備えるコンピュータ可読記憶媒体。
【請求項１４】
前記少なくとも１台のコンピュータに、前記支援データに少なくとも部分的に基づいて、前記アクセスポイントに関係する前記第１のＰＲＳと、前記受動分散要素に関係する前記第２のＰＲＳとを識別させるためのコードをさらに備える、請求項１３に記載のコンピュータ可読記憶媒体。
【請求項１５】
前記支援データは、前記アクセスポイントの第１のロケーションと、前記受動分散要素の第２のロケーションとを含む、請求項１３に記載のコンピュータ可読記憶媒体。
【請求項１６】
前記支援データは、前記第１のＰＲＳおよび前記第２のＰＲＳに関係する異なるシンボル系列に関する情報を含む、請求項１３に記載のコンピュータ可読記憶媒体。
【請求項１７】
アクセスポイントから、第１のポジショニング基準信号（ＰＲＳ）のための第１のシンボル系列と、第２のＰＲＳのための第２のシンボル系列と、支援データとを受信し、ここにおいて、前記支援データを受信することは、前記アクセスポイントの第１のロケーションと、受動分散要素の第２のロケーションを受信することを含む、
前記アクセスポイントから、前記第１のシンボル系列を介して前記第１のＰＲＳを受信し、
前記アクセスポイントに結合された受動分散要素から、前記第１のシンボル系列とは異なる前記第２のシンボル系列を介して前記第２のＰＲＳを受信する、前記第２のシンボル系列は、前記アクセスポイントによって割り当てられる前記受動分散要素の識別子の機能に少なくとも部分的に基づいて決定され、前記第２のシンボル系列は、前記受動分散要素が前記第２のＰＲＳを送信するときに前記第２のシンボル系列を使用するように、前記アクセスポイントから前記受動分散要素に送信される、
ように構成された基準信号（ＲＳ）受信構成要素と、
前記支援データに基づいて、前記第１のＰＲＳを前記アクセスポイントと、および前記第２のＰＲＳを前記受動分散要素と関連付けるように構成されたＲＳソース決定構成要素と
を備える装置。
【請求項１８】
前記ＲＳソース決定構成要素は、前記第１のシンボル系列に少なくとも部分的に基づいて、前記第１のＰＲＳを前記アクセスポイントと関連付け、前記ＲＳソース決定構成要素は、前記第２のシンボル系列に少なくとも部分的に基づいて、前記第２のＰＲＳを前記受動分散要素と関連付ける、請求項１７に記載の装置。
【請求項１９】
前記支援データは、前記アクセスポイントの第１のロケーションと、前記受動分散要素の第２のロケーションとをさらに備える、請求項１７に記載の装置。
【請求項２０】
アクセスポイントにおいて、第１のポジショニング基準信号（ＰＲＳ）のため第１のシンボル系列を決定することと、
前記アクセスポイントにおいて、第２のＰＲＳのための第２のシンボル系列を決定することと、前記第２のシンボル系列は、前記第１のシンボル系列とは異なり、前記第２のシンボル系列は、前記アクセスポイントによって割り当てられる受動分散要素の識別子の機能に少なくとも部分的に基づいて決定され、前記第２のＰＲＳは、前記受動分散要素によって送信されるものであり、前記第２のシンボル系列は、前記アクセスポイントによって定義され、前記受動分散要素が前記第２のＰＲＳを送信するときに前記第２のシンボル系列を使用するように、前記アクセスポイントから前記受動分散要素に送信される、
前記アクセスポイントからユーザ機器（ＵＥ）へ、少なくとも前記第１のシンボル系列と、前記第２のシンボル系列と、ポジショニングのために使用される複数のタイプの基準信号のうちの少なくとも１つのタイプの基準信号とを示す支援データと、前記アクセスポイントの第１のロケーションおよび前記受動分散要素の第２のロケーションとを送信することと、前記支援データは、前記ＵＥが、前記支援データに基づいて、前記第１のＰＲＳを前記アクセスポイントと関連付け、および前記第２のＰＲＳを前記受動分散要素と関連付けることを可能にする、
前記アクセスポイントから、前記第１のＰＲＳを送信することと
を備える、ワイヤレス通信の方法。
【請求項２１】
送信するために前記受動分散要素に前記第２のＰＲＳを提供することをさらに備える、請求項２０に記載の方法。
【請求項２２】
前記受動分散要素に、前記第２のＰＲＳを送信することを抑制するように命令することをさらに備える、請求項２０に記載の方法。
【請求項２３】
ワイヤレス通信のために構成されたアクセスポイントであって、
第１のポジショニング基準信号（ＰＲＳ）のための第１のシンボル系列を決定することと、
第２のＰＲＳのための第２のシンボル系列を決定することと、前記第２のシンボル系列は、前記第１のシンボル系列とは異なり、前記第２のシンボル系列は、前記アクセスポイントによって割り当てられる受動分散要素の識別子の機能に少なくとも部分的に基づいて決定され、前記第２のＰＲＳは、前記受動分散要素によって送信されるものであり、前記第２のシンボル系列は、前記アクセスポイントによって定義され、前記受動分散要素が前記第２のＰＲＳを送信するときに前記第２のシンボル系列を使用するように、前記アクセスポイントから前記受動分散要素に送信される、
ユーザ機器（ＵＥ）へ、少なくとも前記第１のシンボル系列と、前記第２のシンボル系列と、ポジショニングのために使用される複数のタイプの基準信号のうちの少なくとも１つのタイプの基準信号とを示す支援データと、前記アクセスポイントの第１のロケーションおよび前記受動分散要素の第２のロケーションとを送信することと、前記支援データは、前記ＵＥが、前記支援データに基づいて、前記第１のＰＲＳを前記アクセスポイントと関連付け、および前記第２のＰＲＳを前記受動分散要素と関連付けることを可能にする、
前記第１のＰＲＳを送信することと
を行うように構成された少なくとも１つのプロセッサと、
前記少なくとも１つのプロセッサに結合されたメモリと
を備える、アクセスポイント。
【請求項２４】
前記少なくとも１つのプロセッサは、さらに、送信のために前記第２のＰＲＳを前記受動分散要素に通信するように構成される、請求項２３に記載のアクセスポイント。
【請求項２５】
前記少なくとも１つのプロセッサは、さらに、前記受動分散要素に、前記第２のＰＲＳを送信することを抑制するように命令するように構成される、請求項２３に記載のアクセスポイント。
【請求項２６】
アクセスポイントにおいて、第１のポジショニング基準信号（ＰＲＳ）のための第１のシンボル系列を決定するための手段と、
前記アクセスポイントにおいて、第２のＰＲＳのための第２のシンボル系列を決定するための手段と、前記第２のシンボル系列は、前記第１のシンボル系列とは異なり、前記第２のシンボル系列は、前記アクセスポイントによって割り当てられる受動分散要素の識別子の機能に少なくとも部分的に基づいて決定され、前記第２のＰＲＳは、前記受動分散要素によって送信されるものであり、前記第２のシンボル系列は、前記アクセスポイントによって定義され、前記受動分散要素が前記第２のＰＲＳを送信するときに前記第２のシンボル系列を使用するように、前記アクセスポイントから前記受動分散要素に送信される、
前記アクセスポイントからユーザ機器（ＵＥ）へ、少なくとも前記第１のシンボル系列と、前記第２のシンボル系列と、ポジショニングのために使用される複数のタイプの基準信号のうちの少なくとも１つのタイプの基準信号とを示す支援データと、前記アクセスポイントの第１のロケーションおよび前記受動分散要素の第２のロケーションとを送信するための手段と、前記支援データは、前記ＵＥが、前記支援データに基づいて、前記第１のＰＲＳを前記アクセスポイントと関連付け、および前記第２のＰＲＳを前記受動分散要素と関連付けることを可能にする、
前記第１のＰＲＳを送信するための手段と
を備える、装置。
【請求項２７】
送信するために前記受動分散要素に前記第２のＰＲＳを提供するための手段をさらに備える、請求項２６に記載の装置。
【請求項２８】
少なくとも１台のコンピュータに、アクセスポイントにおいて、第１のポジショニング基準信号（ＰＲＳ）のための第１のシンボル系列を決定させるためのコードと、
前記少なくとも１台のコンピュータに、前記アクセスポイントにおいて、第２のＰＲＳのための第２のシンボル系列を決定させるためのコードと、前記第２のシンボル系列は、前記第１のシンボル系列とは異なり、前記第２のシンボル系列は、前記アクセスポイントによって割り当てられる受動分散要素の識別子の機能に少なくとも部分的に基づいて決定され、前記第２のＰＲＳは、前記受動分散要素によって送信されるものであり、前記第２のシンボル系列は、前記アクセスポイントによって定義され、前記受動分散要素が前記第２のＰＲＳを送信するときに前記第２のシンボル系列を使用するように、前記アクセスポイントから前記受動分散要素に送信される、
前記少なくとも１台のコンピュータに、前記アクセスポイントからユーザ機器（ＵＥ）へ、少なくとも前記第１のシンボル系列と、前記第２のシンボル系列と、ポジショニングのために使用される複数のタイプの基準信号のうちの少なくとも１つのタイプの基準信号とを示す支援データと、前記アクセスポイントの第１のロケーションおよび前記受動分散要素の第２のロケーションとを送信させるためのコードと、前記支援データは、前記ＵＥが、前記支援データに基づいて、前記第１のＰＲＳを前記アクセスポイントと関連付け、および前記第２のＰＲＳを前記受動分散要素と関連付けることを可能にする、
前記少なくとも１台のコンピュータに、前記アクセスポイントから、前記第１のＰＲＳを送信させるためのコードと
を備えるコンピュータ可読記憶媒体。
【請求項２９】
前記コンピュータ可読記憶媒体は、前記少なくとも１台のコンピュータに、送信のために前記受動分散要素に前記第２のＰＲＳを通信させるためのコードをさらに備える、請求項２８に記載のコンピュータ可読記憶媒体。
【請求項３０】
前記少なくとも１台のコンピュータに、前記受動分散要素に、前記第２のＰＲＳを送信することを抑制するように命令させるためのコードをさらに備える、請求項２８に記載のコンピュータ可読記憶媒体。
【請求項３１】
アクセスポイントにおいて、第１のポジショニング基準信号（ＰＲＳ）のための第１のシンボル系列を決定し、
前記アクセスポイントにおいて、第２のＰＲＳのための第２のシンボル系列を決定する、前記第２のシンボル系列は、前記第１のシンボル系列とは異なり、前記第２のシンボル系列は、前記アクセスポイントによって割り当てられる受動分散要素の識別子の機能に少なくとも部分的に基づいて決定され、前記第２のＰＲＳは、前記受動分散要素によって送信されるものであり、前記第２のシンボル系列は、前記アクセスポイントによって定義され、前記受動分散要素が前記第２のＰＲＳを送信するときに前記第２のシンボル系列を使用するように、前記アクセスポイントから前記受動分散要素に送信される、
ように構成された構成要素と、
前記アクセスポイントからユーザ機器（ＵＥ）へ、少なくとも前記第１のシンボル系列と、前記第２のシンボル系列と、ポジショニングのために使用される複数のタイプの基準信号のうちの少なくとも１つのタイプの基準信号とを示す支援データと、前記アクセスポイントの第１のロケーションおよび前記受動分散要素の第２のロケーションとを送信し、前記支援データは、前記ＵＥが、前記支援データに基づいて、前記第１のＰＲＳを前記アクセスポイントと関連付け、および前記第２のＰＲＳを前記受動分散要素と関連付けることを可能にする、
前記アクセスポイントから前記ＵＥへ、前記第１のＰＲＳを送信する
ように構成された送信構成要素と
を備える、装置。
【請求項３２】
前記構成要素は、第１のＰＲＳ系列決定構成要素である、請求項３１に記載の装置。
【請求項３３】
第２の組のパラメータに従って、その送信のために前記受動分散要素に前記第２のＰＲＳを通信するリモート送信構成要素をさらに備える、請求項３１に記載の装置。
【請求項３４】
前記複数のタイプの基準信号は、少なくともＰＲＳおよび共通基準信号（ＣＲＳ）を備える、請求項１に記載の方法。
【請求項３５】
前記支援データは、前記第２のＰＲＳの送信が抑止されたとき、ポジショニングのために前記受動分散要素から送信されるＣＲＳを使用しないことを示す、請求項３４に記載の方法。
【請求項３６】
前記複数のタイプの基準信号は、少なくともＰＲＳおよび共通基準信号（ＣＲＳ）を備える、請求項６に記載のワイヤレス通信装置。
【請求項３７】
前記支援データは、前記第２のＰＲＳの送信が抑止されたとき、ポジショニングのために前記受動分散要素から送信されるＣＲＳを使用しないことを示す、請求項３６に記載のワイヤレス通信装置。
【請求項３８】
前記複数のタイプの基準信号は、少なくともＰＲＳおよび共通基準信号（ＣＲＳ）を備える、請求項１０に記載の装置。
【請求項３９】
前記支援データは、前記第２のＰＲＳの送信が抑止されたとき、ポジショニングのために前記受動分散要素から送信されるＣＲＳを使用しないことを示す、請求項３８に記載の装置。
【請求項４０】
前記複数のタイプの基準信号は、少なくともＰＲＳおよび共通基準信号（ＣＲＳ）を備える、請求項１３に記載のコンピュータ可読記憶媒体。
【請求項４１】
前記支援データは、前記第２のＰＲＳの送信が抑止されたとき、ポジショニングのために前記受動分散要素から送信されるＣＲＳを使用しないことを示す、請求項４０に記載のコンピュータ可読記憶媒体。
【請求項４２】
前記複数のタイプの基準信号は、少なくともＰＲＳおよび共通基準信号（ＣＲＳ）を備える、請求項１７に記載の装置。
【請求項４３】
前記支援データは、前記第２のＰＲＳの送信が抑止されたとき、ポジショニングのために前記受動分散要素から送信されるＣＲＳを使用しないことを示す、請求項４２に記載の装置。
【請求項４４】
前記複数のタイプの基準信号は、少なくともＰＲＳおよび共通基準信号（ＣＲＳ）を備える、請求項２０に記載の方法。
【請求項４５】
前記支援データは、前記第２のＰＲＳの送信が抑止されたとき、ポジショニングのために前記受動分散要素から送信されるＣＲＳを使用しないことを示す、請求項４４に記載の方法。
【請求項４６】
前記複数のタイプの基準信号は、少なくともＰＲＳおよび共通基準信号（ＣＲＳ）を備える、請求項２３に記載のアクセスポイント。
【請求項４７】
前記支援データは、前記第２のＰＲＳの送信が抑止されたとき、ポジショニングのために前記受動分散要素から送信されるＣＲＳを使用しないことを示す、請求項４６に記載のアクセスポイント。
【請求項４８】
前記複数のタイプの基準信号は、少なくともＰＲＳおよび共通基準信号（ＣＲＳ）を備える、請求項２６に記載の装置。
【請求項４９】
前記支援データは、前記第２のＰＲＳの送信が抑止されたとき、ポジショニングのために前記受動分散要素から送信されるＣＲＳを使用しないことを示す、請求項４８に記載の装置。
【請求項５０】
前記複数のタイプの基準信号は、少なくともＰＲＳおよび共通基準信号（ＣＲＳ）を備える、請求項２８に記載のコンピュータ可読記憶媒体。
【請求項５１】
前記支援データは、前記第２のＰＲＳの送信が抑止されたとき、ポジショニングのために前記受動分散要素から送信されるＣＲＳを使用しないことを示す、請求項５０に記載のコンピュータ可読記憶媒体。
【請求項５２】
前記複数のタイプの基準信号は、少なくともＰＲＳおよび共通基準信号（ＣＲＳ）を備える、請求項３１に記載の装置。
【請求項５３】
前記支援データは、前記第２のＰＲＳの送信が抑止されたとき、ポジショニングのために前記受動分散要素から送信されるＣＲＳを使用しないことを示す、請求項５２に記載の装置。
【発明の詳細な説明】
【技術分野】
【０００１】
相互参照
本出願は、２００９年６月２６日に出願された、「POSITIONING IN THE PRESENCE OF PASSIVE DISTRIBUTED ELEMENTS」という名称の米国特許仮出願第６１／２２０，９８７号の利益を主張するものであり、その全体は参照により本明細書に組み込まれる。
【０００２】
本開示は、一般にワイヤレス通信に関し、より詳細には、１つまたは複数のデバイスへの基準信号の送信に関する。
【背景技術】
【０００３】
ワイヤレス通信システムは、たとえば音声、データなどの種々のタイプの通信コンテンツを提供するために広く展開されている。代表的なワイヤレス通信システムは、利用可能なシステムリソース（たとえば、帯域幅、送信電力など）を共有することによって複数のユーザとの通信をサポートすることが可能な多元接続システムとすることができる。このような多元接続システムの例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、これらのシステムは、第３世代パートナーシッププロジェクト（３ＧＰＰ）、３ＧＰＰロングタームエボリューション（ＬＴＥ）、ウルトラモバイルブロードバンド（ＵＭＢ）などの規格に準拠することができ、高速アップリンクパケットアクセス（ＨＳＵＰＡ）、シングルキャリアＨＳＵＰＡ（ＳＣ−ＨＳＵＰＡ）、デュアルキャリアＨＳＵＰＡ（ＤＣ−ＨＳＵＰＡ）などの１つまたは複数のプロトコルを使用することができる。
【０００４】
一般に、ワイヤレス多元接続通信システムは、複数のモバイルデバイスに対する通信を同時にサポートすることができる。各モバイルデバイスは、順方向リンクおよび逆方向リンク上での送信を介して１つまたは複数のアクセスポイント（たとえば、基地局、フェムトセル、ピコセル、中継ノードなど）と通信することができる。順方向リンク（すなわちダウンリンク）とは、アクセスポイントからモバイルデバイスへの通信リンクを指し、逆方向リンク（すなわちアップリンク）とは、モバイルデバイスからアクセスポイントへの通信リンクを指す。さらに、モバイルデバイスとアクセスポイントの間の通信は、単入力単出力（ＳＩＳＯ）システム、多入力単出力（ＭＩＳＯ）システム、多入力多出力（ＭＩＭＯ）システムなどにより確立することができる。さらに、モバイルデバイスは、ピアツーピアワイヤレスネットワーク構成において、他のモバイルデバイスと通信することができる（および／または、アクセスポイントは、他のアクセスポイントと通信することができる）。
【発明の概要】
【０００５】
特許請求の範囲に記載される主題の種々の態様の基本的な理解を可能にするために、以下に、そのような態様の簡略化した概要を提示する。この概要は、すべての企図される態様の広範な概要ではなく、そのような態様の主な要素または重要な要素を識別することもそのような態様の範囲を説明することも意図していない。その唯一の目的は、後で提示するより詳細な説明の前置きとして簡略化した形で、開示する態様のいくつかの概念を提示することである。
【０００６】
１つまたは複数の実施形態およびその対応する開示によれば、種々の態様について、関係するアクセスポイントのためのさまざまな送信パラメータと比較して、受動分散要素（passive distributed element）のポジショニング基準信号（positioning reference signal）（ＰＲＳ）のためのさまざまな送信パラメータの利用を容易にすることに関して説明する。たとえば、受動分散要素は、ＰＲＳを送信するためにアクセスポイントによって利用されるリソースと異なるリソースを介して、および／またはそれらのリソース内のさまざまなシンボル系列を使用して、ＰＲＳを送信することができる。さらに、アクセスポイントは、ＰＲＳの処理を容易にするために、１つまたは複数のワイヤレスデバイスに、関係するリソースまたはシンボル系列を供給することができる。別の実施例では、受動分散要素は、ワイヤレスデバイスがアクセスポイントからのＰＲＳのみを測定できるように、ＰＲＳの送信を抑制することができる。この例では、ワイヤレスデバイスは、受動分散要素によって送信されるアクセスポイントのＣＲＳからのポジションをさらに決定することを減らすためにポジショニングを決定する際にのみＰＲＳを測定するためにシグナリングされることができる。
【０００７】
一態様によれば、アクセスポイントからＰＲＳを受信することと、そのアクセスポイントによって用いられる受動分散要素から異なるＰＲＳを受信することとを含む方法が提供される。この方法は、ＰＲＳをアクセスポイントと、異なるＰＲＳを受動分散要素と関連付けることをさらに含む。
【０００８】
別の態様はワイヤレス通信装置に関係する。このワイヤレス通信装置は、アクセスポイントからＰＲＳを取得し、このアクセスポイントに関係する受動分散要素から異なるＰＲＳを取得するように構成された少なくとも１つのプロセッサを含むことができる。この少なくとも１つのプロセッサは、さらに、アクセスポイントに関係するＰＲＳと受動分散要素に関係する異なるＰＲＳとを識別するように構成される。このワイヤレス通信装置は、この少なくとも１つのプロセッサに結合されたメモリも備える。
【０００９】
さらに他の一態様は装置に関係する。この装置は、アクセスポイントからＰＲＳを、このアクセスポイントによって用いられる受動分散要素から異なるＰＲＳを受信するための手段を含む。この装置は、ＰＲＳをアクセスポイントと、異なるＰＲＳを受動分散要素と関連付けるための手段も含む。
【００１０】
さらに別の態様はコンピュータプログラム製品に関係し、このコンピュータプログラム製品は、少なくとも１台のコンピュータにアクセスポイントからＰＲＳを取得させるためのコードと、この少なくとも１台のコンピュータにこのアクセスポイントに関係する受動分散要素から異なるＰＲＳを取得させるためのコードとを含むコンピュータ可読媒体を有することができる。このコンピュータ可読媒体は、この少なくとも１台のコンピュータに、アクセスポイントに関係するＰＲＳと受動分散要素に関係する異なるＰＲＳとを識別させるためのコードも備えることができる。
【００１１】
さらに、追加の態様は、アクセスポイントからＰＲＳを、このアクセスポイントによって用いられる受動分散要素から異なるＰＲＳを取得する基準信号（ＲＳ）受信構成要素を含む装置に関係する。この装置は、ＰＲＳをアクセスポイントと、異なるＰＲＳを受動分散要素と関連付けるＲＳソース決定構成要素をさらに含む。
【００１２】
別の態様によれば、ポジションを決定するために１つまたは複数のアクセスポイントまたは受動分散要素から受信可能な１つまたは複数の信号タイプを指定するインジケータを受信することを含む方法が提供される。この方法は、ポジショニングデータを決定するために１つまたは複数の信号タイプの信号を測定することも含む。
【００１３】
別の態様はワイヤレス通信装置に関係する。このワイヤレス通信装置は、ポジションを決定するために１つまたは複数のアクセスポイントまたは受動分散要素から受信可能な１つまたは複数の信号タイプを指定するインジケータを取得するように構成された少なくとも１つのプロセッサを含むことができる。この少なくとも１つのプロセッサは、さらに、ポジショニングデータを決定するために１つまたは複数の信号タイプの信号を処理するように構成される。このワイヤレス通信装置は、この少なくとも１つのプロセッサに結合されたメモリも備える。
【００１４】
さらに他の一態様は装置に関係する。この装置は、ポジションを決定するために１つまたは複数のアクセスポイントまたは受動分散要素から受信可能な１つまたは複数の信号タイプを指定するインジケータを受信するための手段を含む。この装置は、ポジショニングデータを決定するために１つまたは複数の信号タイプの信号を測定するための手段も含む。
【００１５】
さらに別の態様はコンピュータプログラム製品に関係し、このコンピュータプログラム製品は、少なくとも１台のコンピュータに、ポジションを決定するために１つまたは複数のアクセスポイントまたは受動分散要素から受信可能な１つまたは複数の信号タイプを指定するインジケータを取得させるためのコードを含むコンピュータ可読媒体を有することができる。このコンピュータ可読媒体は、この少なくとも１台のコンピュータに、ポジショニングデータを決定するために１つまたは複数の信号タイプの信号を処理させるためのコードも備えることができる。
【００１６】
さらに、追加の態様は、ポジションを決定するために１つまたは複数のアクセスポイントまたは受動分散要素から受信可能な１つまたは複数の信号タイプを指定するインジケータを取得する支援データ受信構成要素を含む装置に関係する。この装置は、ポジショニングデータを見分けるために１つまたは複数の信号タイプの信号を測定するポジション決定構成要素をさらに含むことができる。
【００１７】
別の態様によれば、ＰＲＳを送信するための１つまたは複数のパラメータを生成することと、異なるＰＲＳに関係する１つまたは複数の異なるパラメータを生成することとを含む方法が提供され、この異なるＰＲＳは、受動分散要素に関係する。この方法は、１つまたは複数のパラメータに従ってワイヤレスネットワークでＰＲＳを送信することをさらに含む。
【００１８】
別の態様は、ワイヤレス通信装置に関係する。このワイヤレス通信装置は、ＰＲＳを送信するための１つまたは複数のパラメータを決定し、異なるＰＲＳを送信するための１つまたは複数の異なるパラメータを決定するように構成された少なくとも１つのプロセッサを含むことができ、この異なるＰＲＳは、受動分散要素に関係する。この少なくとも１つのプロセッサは、さらに、１つまたは複数のパラメータに従ってＰＲＳを送信するように構成される。このワイヤレス通信装置は、この少なくとも１つのプロセッサに結合されたメモリも備える。
【００１９】
さらに他の一態様は装置に関係する。この装置は、ＰＲＳを送信するための１つまたは複数のパラメータおよび異なるＰＲＳを送信するための１つまたは複数の異なるパラメータを生成するための手段を含み、この異なるＰＲＳは、受動分散要素に関係する。この装置は、１つまたは複数のパラメータに従ってワイヤレスネットワークでＰＲＳを送信するための手段も含む。
【００２０】
さらに別の態様はコンピュータプログラム製品に関係し、このコンピュータプログラム製品は、少なくとも１台のコンピュータに、ＰＲＳを送信するための１つまたは複数のパラメータを決定させるためのコードと、この少なくとも１台のコンピュータに、異なるＰＲＳを送信するための１つまたは複数の異なるパラメータを決定させるコードとを含むコンピュータ可読媒体を有することができ、この異なるＰＲＳは、受動分散要素に関係する。このコンピュータ可読媒体は、この少なくとも１台のコンピュータに、１つまたは複数のパラメータに従ってＰＲＳを送信させるためのコードも備えることができる。
【００２１】
さらに、追加の態様は、ＰＲＳを送信するための１つまたは複数のパラメータおよび異なるＰＲＳを送信するための１つまたは複数の異なるパラメータを生成する構成要素を含む装置に関係し、この異なるＰＲＳは、受動分散要素に関係する。この装置は、１つまたは複数のパラメータに従ってワイヤレスネットワークでＰＲＳを送信する送信構成要素をさらに含むことができる。
【００２２】
さらに他の一態様によれば、ポジショニングデータを計算するために受信可能な１つまたは複数の信号タイプに関係する１つまたは複数のワイヤレスデバイスに指示を送信することを含む方法が提供される。この方法は、この１つまたは複数のワイヤレスデバイスに１つまたは複数の信号タイプの信号を送信することをさらに含む。
【００２３】
別の態様はワイヤレス通信装置に関係する。このワイヤレス通信装置は、ポジショニングデータを計算するために１つまたは複数の信号タイプに関係する１つまたは複数のワイヤレスデバイスに指示を提供するように構成された少なくとも１つのプロセッサを含むことができる。この少なくとも１つのプロセッサは、さらに、１つまたは複数のワイヤレスデバイスに１つまたは複数の信号タイプの信号を送信するように構成される。このワイヤレス通信装置は、この少なくとも１つのプロセッサに結合されたメモリも備える。
【００２４】
さらに他の一態様は装置に関係する。この装置は、ポジショニングデータを計算するために受信可能な１つまたは複数の信号タイプに関係する１つまたは複数のワイヤレスデバイスに指示を送信するための手段を含む。この装置は、この１つまたは複数のワイヤレスデバイスに１つまたは複数の信号タイプの信号を送信するための手段も含む。
【００２５】
さらに別の態様はコンピュータプログラム製品に関係し、このコンピュータプログラム製品は、少なくとも１台のコンピュータに、ポジショニングデータを計算するために１つまたは複数の信号タイプに関係する１つまたは複数のワイヤレスデバイスに指示を提供させるためのコードを含むコンピュータ可読媒体を有することができる。このコンピュータ可読媒体は、この少なくとも１台のコンピュータに、１つまたは複数のワイヤレスデバイスに１つまたは複数の信号タイプの信号を送信させるためのコードも備えることができる。
【００２６】
さらに、追加の態様は、ポジショニングデータを計算するために受信可能な１つまたは複数の信号タイプに関係する１つまたは複数のワイヤレスデバイスに指示を送信する支援データ提供構成要素を含む装置に関係する。この装置は、１つまたは複数のワイヤレスデバイスに１つまたは複数の信号タイプの信号を通信する送信構成要素をさらに含むことができる。
【００２７】
前述のおよび関係する目的を達成するために、１つまたは複数の実施形態は、以下に十分に説明し、特に特許請求の範囲で示す特徴を備える。以下の説明および添付図面は、この１つまたは複数の実施形態の特定の例示的な態様を詳細に説明する。しかし、これらの態様は、さまざまな実施形態の原理が用いられることのできる種々の方法のほんの数例を示すに過ぎず、説明する実施形態は、そのようなすべての態様およびそれらの均等物を包含するものである。
【図面の簡単な説明】
【００２８】
【図１】アクセスポイントの通信範囲を増加させるために受動分散要素を提供するシステムのブロック図。
【図２】ワイヤレス通信環境内で使用するための例示的な通信装置を示す図。
【図３】対応するアクセスポイントに関するポジショニング基準信号（ＰＲＳ）と異なる、受動分散要素に関係するＰＲＳを送信するための例示的なワイヤレス通信システムを示す図。
【図４】受動分散要素からのＰＲＳの送信を抑制するための例示的なワイヤレス通信システムを示す図。
【図５】ＰＲＳをアクセスポイントまたは対応する受動分散要素と関連付ける例示的な方法の流れ図。
【図６】支援データに基づいてＰＲＳをアクセスポイントまたは受動分散要素に関連させる例示的な方法の流れ図。
【図７】ポジションを決定するために使用可能な信号タイプを指定するインジケータを受信する例示的な方法の流れ図。
【図８】アクセスポイントに関するＰＲＳおよび関係する受動分散要素のための異なるＰＲＳを生成する例示的な方法の流れ図。
【図９】ポジションを決定するために使用可能な１つまたは複数の信号タイプを示す例示的な方法の流れ図。
【図１０】ＰＲＳをアクセスポイントまたは関係する受動分散要素と関連付ける例示的な装置のブロック図。
【図１１】ポジションを決定するために受信可能な１つまたは複数の信号タイプを指定するインジケータを受信する例示的な装置のブロック図。
【図１２】送信のためのＰＲＳおよび受動分散要素による送信のためのＰＲＳを生成する例示的な装置のブロック図。
【図１３】ポジションを決定するために受信可能な１つまたは複数の信号タイプを示す例示的な装置のブロック図。
【図１４】本明細書において説明する機能の種々の態様を実施するために利用できる例示的なワイヤレス通信デバイスのブロック図。
【図１５】本明細書において説明する機能の種々の態様を実施するために利用できる例示的なワイヤレス通信デバイスのブロック図。
【図１６】本明細書において記載する種々の態様による例示的なワイヤレス多元接続通信システムを示す図。
【図１７】本明細書において説明する種々の態様が機能できる例示的なワイヤレス通信システムを示すブロック図。
【発明を実施するための形態】
【００２９】
次に、特許請求の範囲に記載される主題の種々の態様を、図面を参照して説明する。図面全体を通して、同じ参照番号を使用して同じ要素を指す。以下の説明では、１つまたは複数の態様の完全な理解を得るために、説明として、多数の具体的な詳細が記載されている。しかし、そのような態様（複数可）はこれらの具体的な詳細がなくても実施できることは明らかであろう。他の例では、１つまたは複数の態様の説明を簡単にするために、よく知られている構造およびデバイスをブロック図の形で示す。
【００３０】
本出願で使用される場合、「構成要素」、「モジュール」、「システム」などの用語はコンピュータ関連エンティティ、すなわちハードウェア、ファームウェア、ハードウェアとソフトウェアの組み合わせ、ソフトウェア、または実行中のソフトウェアのいずれかを指すものとする。たとえば、構成要素は、プロセッサ上で実行されるプロセス、集積回路、オブジェクト、実行ファイル、実行スレッド、プログラム、および／またはコンピュータとすることができるが、これらに限定されない。例として、コンピューティングデバイス上で実行されるアプリケーションとそのコンピューティングデバイスの両方が構成要素となることができる。１つまたは複数の構成要素はプロセスおよび／または実行スレッド内に常駐でき、１つの構成要素は、１台のコンピュータ上に配置でき、および／または２台以上のコンピュータ間に分散することができる。さらに、これらの構成要素は、種々のデータ構造が記憶されている種々のコンピュータ可読媒体から実行することができる。構成要素は１つまたは複数のデータパケット（たとえば、信号により、ローカルシステム内、分散システム内の別の構成要素と、および／またはインターネットなどのネットワークを介して他のシステムと対話するある構成要素からのデータ）を有する信号などに従い、ローカルプロセスおよび／またはリモートプロセスによって通信することができる。
【００３１】
そのうえ、種々の態様について、ワイヤレス端末および／または基地局に関連して本明細書で説明する。ワイヤレス端末とは、音声および／またはデータの接続性をユーザに提供するデバイスを指すことができる。ワイヤレス端末は、ラップトップコンピュータまたはデスクトップコンピュータなどのコンピューティングデバイスに接続でき、または携帯情報端末（ＰＤＡ）などの自己完結型（self contained）デバイスとすることができる。ワイヤレス端末は、ワイヤレスデバイス、システム、加入者ユニット、加入者局、移動局、モバイル、遠隔局、アクセスポイント、リモート端末、アクセス端末、ユーザ端末、ユーザエージェント、ユーザデバイス、またはユーザ機器（ＵＥ）と呼ばれることもある。ワイヤレス端末は、加入者局、ワイヤレスデバイス、セルラー電話、ＰＣＳ電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された他の処理デバイスとすることができる。基地局（たとえば、アクセスポイントまたは進化型ノードＢ（ｅＮＢ）または他のノードＢ）とは、エア−インターフェースを介して、１つまたは複数のセクタを通してワイヤレス端末と通信するアクセスネットワーク内のデバイスを指すことができる。基地局は、受信したエア−インターフェースフレームをインターネットプロトコル（ＩＰ）パケットに変換することによって、ワイヤレス端末と、ＩＰネットワークを含むことができるアクセスネットワークの残部の間のルータとして機能することができる。また、基地局は、エアインターフェースの属性の管理を調整する。
【００３２】
さらに、本明細書において説明する種々の機能は、ハードウェア、ソフトウェア、ファームウェア、またはそれらの任意の組み合わせで実施することができる。それらの機能は、ソフトウェアで実施する場合、１つまたは複数の命令またはコードとして、コンピュータ可読媒体上に記憶されてもよく、またはコンピュータ可読媒体上に送信されてもよい。コンピュータ可読媒体としては、コンピュータ記憶媒体と、ある場所から別の場所へのコンピュータプログラムの転送を容易にする任意の媒体を含む通信媒体の両方がある。記憶媒体は、コンピュータがアクセスできる任意の使用可能な媒体とすることができる。例を挙げると、限定ではないが、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または命令もしくはデータ構造の形で所望のプログラムコードを搬送もしくは記憶するために使用でき、かつコンピュータがアクセスできる他の任意の媒体を備えることができる。また、任意の接続は、コンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、その同軸ケーブル、光ファイバケーブル、ツイストペア、ＤＳＬ、または赤外線、無線、およびマイクロ波などのワイヤレス技術は、媒体の定義に含まれる。本明細書では、ディスク（diskおよびdisc）は、コンパクトディスク（ＣＤ）、レーザディスク、光ディスク、デジタル多用途ディスク（ＤＶＤ）、フロッピー(登録商標）ディスク、およびブルーレイディスク（ＢＤ）を含み、ディスク（disk）は通常、磁気的にデータを再生し、ディスク（disc）はレーザにより光学的にデータを再生する。上記の組み合わせもコンピュータ可読媒体の範囲内に含まれるべきである。
【００３３】
本明細書において説明する種々の技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム、および他のそのようなシステムなどの種々のワイヤレス通信システムに使用することができる。「システム」および「ネットワーク」という用語は、本明細書においては、同義で使用されることが多い。ＣＤＭＡシステムは、ユニバーサル地上無線アクセス（ＵＴＲＡ）、ＣＤＭＡ２０００などの無線技術を実施することができる。ＵＴＲＡには、広帯域ＣＤＭＡ（Ｗ−ＣＤＭＡ）およびＣＤＭＡの他の変種がある。さらに、ＣＤＭＡ２０００は、ＩＳ−２０００、ＩＳ−９５、およびＩＳ−８５６の各規格を包含する。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）(登録商標）などの無線技術を実施することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、ＦＬＡＳＨ−ＯＦＤＭ（登録商標）などの無線技術を実施することができる。ＵＴＲＡおよびＥ−ＵＴＲＡは、ユニバーサル移動通信システム（ＵＭＴＳ）の一部である。３ＧＰＰロングタームエボリューション（ＬＴＥ）は、Ｅ−ＵＴＲＡを使用する今後予定されているリリースであり、ダウンリンク上でＯＦＤＭＡを、アップリンク上でＳＣ−ＦＤＭＡを用いる。ＵＴＲＡ、Ｅ−ＵＴＲＡ、ＵＭＴＳ、ＬＴＥ、およびＧＳＭは、「第３世代パートナーシッププロジェクト」（３ＧＰＰ）という組織からの文書で説明されている。さらに、ＣＤＭＡ２０００およびＵＭＢは、「第３世代パートナーシッププロジェクト２」（３ＧＰＰ２）という組織からの文書で説明されている。
【００３４】
種々の態様を、いくつかのデバイス、構成要素、モジュールなどを含むことができるシステムとして提示する。これら種々のシステムは、追加のデバイス、構成要素、モジュールなどを含むことができ、および／または図に関連して説明されるデバイス、構成要素、モジュールなどのすべてを必ずしも含まなくてよいことを理解し、了解されたい。これらの手法の組み合わせも使用することができる。
【００３５】
ここで図面を参照すると、図１は、１つまたは複数の受動分散要素を使用して１つまたは複数のデバイスへのワイヤレスネットワークアクセスの提供を容易にする例示的なシステム１００を示す。システム１００は、ワイヤレスデバイス１０４にコアネットワーク（図示せず）へのアクセスを提供するアクセスポイント１０２を含む。たとえば、アクセスポイント１０２は、ワイヤレスデバイス１０４にワイヤレスネットワークアクセスを直接的にならびに／あるいは１つまたは複数の受動分散要素１０６および／または１０８によって提供することができ、これは、たとえば、アクセスポイント１０２に結線されてもよく、および／またはワイヤレスで接続されてもよい。アクセスポイント１０２は、マクロセルアクセスポイント、フェムトセルまたはピコセルのアクセスポイント、ｅＮＢ、モバイル基地局、中継ノード、その一部などの１つまたは複数のネットワーク構成要素へのアクセスを提供する実質的に任意のデバイスとすることができる。ワイヤレスデバイス１０４は、モバイルデバイス、ＵＥ、モデム（または他のコード付きデバイス）、その一部などの、ワイヤレスネットワークへのアクセスを受け取る実質的に任意のデバイスとすることができる。受動分散要素１０６および１０８は、無線周波数（ＲＦ）リピータ、ｒｅｍｏｔｅ  ｒａｄｉｏ  ｈｅａｄ（ＲＲＨ）、その一部、またはアクセスポイントからの信号をリモートで送信する実質的に任意のデバイスとすることができる。
【００３６】
一例によれば、受動分散要素１０６および１０８は、説明するように、アクセスポイント１０２によって送信された信号を送信して、その可聴性（hearability）を改善することができる。したがって、たとえば、アクセスポイント１０２がＰＲＳ、ＣＲＳなどを送信する場合、受動分散要素１０６および１０８は、実質的に同じＰＲＳ、ＣＲＳなどを送信することができる。ワイヤレスデバイス１０４がそのポジションを決定しようとする場合、ワイヤレスデバイス１０４が、受動分散要素１０６および１０８から受信されたＰＲＳ、ＣＲＳなどをアクセスポイント１０２のロケーションと関連付けるので、その受信されたＰＲＳ、ＣＲＳなどが、誤ったポジション決定を引き起こすことがある。アクセスポイント１０２は、たとえば、さまざまな期間中にアクセスポイント１０２が受動分散要素１０６および１０８にさまざまな信号を送信させることができるように、受動分散要素１０６および１０８において送信を制御することができる。この点について、たとえば、受動分散要素１０６および１０８は、ワイヤレスデバイス１０４における混乱を軽減するために、アクセスポイント１０２と異なるＰＲＳ、ＣＲＳなどを送信することができる。
【００３７】
一例では、受動分散要素１０６および１０８は、アクセスポイント１０２および／または他の受動分散要素によって利用されるリソースと異なるリソースを介してＰＲＳを送信することができる。この例では、アクセスポイント１０２はさらに、ワイヤレスデバイス１０４に、ＰＲＳを送信するために受動分散要素１０６および１０８によって利用されるリソースに関する１つまたは複数のパラメータ、受動分散要素１０６および１０８によって送信されたＰＲＳに関係する識別情報などと共に、受動分散要素１０６および１０８に関するロケーション情報を供給することができる。アクセスポイント１０２がそのロケーション、ＰＲＳパラメータなどに関する類似の情報を提供できることを了解されたい。この点について、ワイヤレスデバイス１０４は、関係するロケーション情報に基づいてポジショニングを決定するために、受動分散要素１０６および／もしくは１０８のうちの１つまたは複数またはアクセスポイント１０２によって送信された少なくとも１つのＰＲＳを利用することができる。追加または代替として、受動分散要素１０６および１０８は、アクセスポイント１０２または他の受動分散要素によって送信されるＰＲＳと区別するために異なるＰＲＳ系列を使用してＰＲＳを送信することができる。同様に、この例では、アクセスポイント１０２は、ＰＲＳの識別およびロケーション情報との関連付けを容易にするためにワイヤレスデバイス１０４に系列情報を供給することができる。
【００３８】
いずれの場合にも、アクセスポイント１０２がさらに、受動分散要素１０６および１０８に、割り当てられたリソースおよび／またはＰＲＳ系列をシグナリングするか、またはリソースを介してまたはＰＲＳ系列を使用して受動分散要素１０６および１０８に、対応するＰＲＳを送信させることができることを了解されたい。一例では、アクセスポイント１０２は、ランダム関数、受動分散要素の識別子を考慮（factor）する擬似ランダム関数、ハードコーディング、規格、構成などに従って生成された複数組のリソースなどを使用して、受動分散要素１０６および１０８のための１組のリソースおよび／またはＰＲＳ系列を決定することができる。
【００３９】
別の実施例では、受動分散要素１０６および１０８は、ポジショニングを決定する際の混乱を軽減するためにＰＲＳの送信を抑制する。しかし、受動分散要素１０６および１０８は、依然として、種々の目的で（たとえば、チャネル推定を容易にするなどのために）ＣＲＳを送信することができる。ワイヤレスデバイス１０４は、この例では、ポジショニングを決定するために、ＰＲＳに加えてまたはその代替としてＣＲＳを利用でき、これが前述のように誤った結果を招くことがある。したがって、受動分散要素１０６および１０８がポジショニングに使用されない場合、アクセスポイント１０２は、ロケーションを決定する目的でＰＲＳを測定するためだけにワイヤレスデバイス１０４にインジケータを供給することができる。この点について、ポジショニングを決定するとき、ワイヤレスデバイス１０４は、受動分散要素１０６および１０８（およびアクセスポイント１０２）から送信されたＣＲＳを無視することができる。この例では、ワイヤレスデバイス１０４は、ポジショニングを決定するために、アクセスポイント１０２から送信されたＰＲＳのみ（および／または他のアクセスポイントからのＰＲＳ）を測定する。
【００４０】
次に図２を参照すると、ワイヤレス通信ネットワークに参加できる通信装置２００が示されている。通信装置２００は、ワイヤレス端末、モバイルデバイス、アクセスポイント、その一部、またはワイヤレスネットワーク内でＲＳを受信できる実質的に任意のデバイスとすることができる。通信装置２００は、ワイヤレスネットワーク内で送信されたＲＳに関係する支援データを取得する支援データ受信構成要素２０２と、アクセスポイントおよび／または関係する受動分散要素（図示せず）から１つまたは複数のＲＳを取得できるＲＳ受信構成要素２０４と、１つまたは複数の得られたＲＳのうちの少なくとも１つを処理できるＲＳ利用構成要素２０６とを含むことができる。
【００４１】
一例によれば、支援データ受信構成要素２０２は、アクセスポイントおよび／または１つまたは複数の関係する受動分散要素によって送信されたＲＳを利用することに関係するアクセスポイントから支援データを取得することができる。たとえば、支援データ受信構成要素２０２は、受動分散要素のロケーションに関係するデータ、受動分散要素によって送信されたＲＳの特徴を識別することに関係するデータ（たとえば、利用されたリソース、利用されたＲＳ系列、ＲＳに存在する識別子など）、通信装置２００での計算の実施に利用できるＲＳのタイプのインジケータなどを取得することができる。さらに、ＲＳ受信構成要素２０４は、アクセスポイントおよび／または１つもしくは複数の受動分散要素からＲＳを取得することができる。ＲＳ利用構成要素２０６は、たとえば、支援データに応じてＲＳを処理および利用することができる。
【００４２】
たとえば、支援データが、受動分散要素および／または対応するアクセスポイントによって送信されたＲＳの特徴を識別する場合、ＲＳ利用構成要素２０６は、受信されたＲＳを受動分散要素および／またはアクセスポイントと関連付けることができる。さらに、支援データが受動分散要素および／またはアクセスポイントのロケーションを含む場合、ＲＳ利用構成要素２０６はさらに、受信されたＲＳと関連付けられた受動分散要素および／またはアクセスポイントのロケーションを決定することができる。ＲＳ利用構成要素２０６は、たとえば、受信されたＲＳの受信された信号強度ならびに対応する受動分散要素および／またはアクセスポイントのロケーションに少なくとも部分的に基づいて、通信装置２００のポジションを計算することができる。
【００４３】
別の実施例では、支援データが、特定の計算に利用できるＲＳのタイプを指定する指示を含む場合、ＲＳ利用構成要素２０６は、他のＲＳを無視することができる。したがって、一例では、前述のように、アクセスポイントは、受動分散要素がＰＲＳを送信できなくても、ＰＲＳを送信することができる。したがって、支援データは、ポジショニングを決定するためにＰＲＳのみを測定するように指定することができる。一例では、他のビット値が、実質的に任意のＲＳをポジショニングに利用できることを示す場合、これは１ビットのインジケータとすることができる。説明したように、支援データが、ポジショニングのためにＰＲＳのみを測定することを示すとき、ＲＳ利用構成要素２０６は、受動分散要素および／またはアクセスポイントから受信されたＣＲＳまたは他のＲＳを無視することができる。したがって、この例でも、ポジショニングは、アクセスポイントに関係するＲＳを送信する受動分散要素から混乱が引き起こされることなく、決定されることができる。一方、支援データが、実質的に任意のＲＳを利用できることを示すとき、ＲＳ利用構成要素２０６は、ポジショニングを決定するために、関係するアクセスポイント（および／または潜在的な受動分散要素）からの実質的に任意のＲＳを処理することができる。しかし、一例では、このインジケータは、アクセスポイントが受動分散要素を活用しない場合に指定することができる。
【００４４】
次に図３を参照すると、関係するアクセスポイントによって送信されるＰＲＳとは異なる、受動分散要素に関係するＰＲＳの送信を容易にするワイヤレス通信システム３００が示されている。システム３００は、ワイヤレスデバイス１０４などの１つまたは複数のワイヤレスデバイスにコアネットワーク（図示せず）へのアクセスを提供するアクセスポイント１０２を含む。さらに、アクセスポイント１０２は、マクロセルアクセスポイント、フェムトセルアクセスポイント、ピコセルアクセスポイント、モバイル基地局、その一部、および／またはワイヤレスネットワークアクセスを提供する実質的に任意のデバイスとすることができる。さらに、たとえば、ワイヤレスデバイス１０４は、ＵＥ、モデム（または他のコード付きデバイス）、その一部、および／またはワイヤレスネットワークへのアクセスを受ける実質的に任意のデバイスとすることができる。さらに、アクセスポイント１０２は、信号電力を増加させるために、受動分散要素１０６などの１つまたは複数の受動分散要素を利用することができる。説明したように、受動分散要素１０６は、ＲＦリピータ、ＲＲＨなどとすることができる。
【００４５】
アクセスポイント１０２は、アクセスポイントまたは１つもしくは複数の受動分散要素に関係するＰＲＳを送信するために１つまたは複数のリソースを決定するＰＲＳリソース選択構成要素３０２と、アクセスポイントまたは１つもしくは複数の受動分散要素に関係するＰＲＳを送信するために１つまたは複数のＰＲＳ系列を見分けるＰＲＳ系列決定構成要素３０４とを備えることができる。アクセスポイント１０２はまた、アクセスポイントおよび１つまたは複数の受動分散要素のＰＲＳに関係する支援データを作成して送信する支援データ提供構成要素３０６と、ワイヤレスデバイスにＰＲＳおよび／または他のデータを送信する送信構成要素３０８と、１つまたは複数の受動分散要素に、ＰＲＳまたは他のデータをワイヤレスデバイスに送信させるリモート送信構成要素３１０とを含む。
【００４６】
受動分散要素１０６は、アクセスポイント１０２から信号（たとえば、有線接続もしくはワイヤレス接続を介した専用信号またはブロードキャスト）を取得する受信構成要素３１２と、アクセスポイント１０２から受信した信号を送信する送信構成要素３１４とを含むことができる。ワイヤレスデバイス１０４は、１つまたは複数のアクセスポイントおよび対応する受動分散要素に関係する支援データを取得する支援データ受信構成要素３１６と、１つもしくは複数のアクセスポイントまたは対応する受動分散要素からＲＳを取得するＲＳ受信構成要素３１８とを備える。ワイヤレスデバイス１０４はまた、１つまたは複数のＲＳの送信元であるアクセスポイントまたは受動分散要素を見分けるＲＳソース決定構成要素３２０と、受信されたＲＳ（複数可）に少なくとも部分的に基づいてワイヤレスデバイス１０４のポジションを計算するポジション決定構成要素３２２とを含むことができる。
【００４７】
一例によれば、ＰＲＳリソース選択構成要素３０２は、アクセスポイント１０２に関係するＰＲＳの送信に利用するために、１組のリソース（たとえば、時間／周波数リソース、ＯＦＤＭシンボル、またはその一部など）または１つまたは複数の関係するパラメータを決定することができる。さらに、ＰＲＳリソース選択構成要素３０２は、受動分散要素１０６に関係するＰＲＳを通信するために異なるリソースを選択することができる。たとえば、ＰＲＳリソース選択構成要素３０２は、パターンまたは系列に従って、ランダムに、擬似ランダムに（たとえば、受動分散要素１０６の識別子がアクセスポイント１０２によって割り当て可能な場合、識別子の機能に基づいて）など、アクセスポイント１０２および受動分散要素１０６（ならびに他の受動分散要素）のためのリソースを決定することができる。さらに、パターン、系列、または擬似ランダム関数は、ハードコーディング、規格、構成などの一部として定義することができる。説明したように、ＰＲＳに異なるリソースを割り当てることによって、アクセスポイント１０２によって送信されるＰＲＳと、受動分散要素１０６によって送信されるＰＲＳとの区別を容易にすることができる。
【００４８】
追加または代替として、ＰＲＳ系列決定構成要素３０４は、アクセスポイント１０２および受動分散要素１０６のためのＰＲＳを送信する際に利用するために、異なるシンボル系列（たとえば、ＯＦＤＭシンボル系列）または１つまたは複数の関係するパラメータを生成することができるかまたはそれを見分けることができる。いずれの場合にも、支援データ提供構成要素３０６は、アクセスポイント１０２によって送信されるＰＲＳと受動分散要素１０６によって送信されるＰＲＳの識別を容易にするために、ロケーション、利用されるＰＲＳリソース、利用されるＰＲＳ系列、ＰＲＳの識別子などのアクセスポイント１０２および／または受動分散要素１０６に関する情報ならびに／あるいは他の情報を作成する。同様に、説明したように、ＰＲＳ系列は、パターンまたは系列に従って、ランダムに、識別子に基づいて擬似ランダムになど、割り当てることができる。支援データ提供構成要素３０６は、ワイヤレスデバイス１０４に支援データを送信することができ、これは、アクセスポイント１０２からのブロードキャスト、専用信号としてのワイヤレスデバイス１０４への送付などを含むことができる。
【００４９】
支援データ受信構成要素３１６は、支援データを取得し、後でアクセスポイント１０２および／または受動分散要素１０６からのＰＲＳを検出する際に利用するためにその支援データを格納することができる。一例では、送信構成要素３０８は、ＰＲＳリソース選択構成要素３０２によってアクセスポイント１０２のために決定されたリソースを介して、アクセスポイント１０２に関係するＰＲＳを送信することができる。同様に、リモート送信構成要素３１０は、受動分散要素１０６に、ＰＲＳリソース選択構成要素３０２によって受動分散要素１０６のために決定されたリソースを介してそれに関係するＰＲＳを送信させることができる。受信構成要素３１２はＰＲＳを取得でき、送信構成要素３１４は、リソースを介してＰＲＳを送信することができる。どちらの場合も、ＲＳ受信構成要素３１８は、対応するリソースを介してＰＲＳのうちの少なくとも１つを取得することができる。説明したように、ＲＳソース決定構成要素３２０は、ＰＲＳが受信されるリソースおよび支援データに少なくとも部分的に基づいて、ＰＲＳがアクセスポイント１０２によって送信されたのかそれとも受動分散要素１０６によって送信されたのかを見分けることができる。
【００５０】
追加または代替として、送信構成要素３０８は、ＰＲＳ系列決定構成要素３０４によって生成されたかまたはこれによって決定されたシンボル系列を使用してアクセスポイント１０２に関係するＰＲＳを送信することができる。同様に、リモート送信構成要素３１０は、受動分散要素１０６に、ＰＲＳ系列決定構成要素３０４によってそれのために見分けられるシンボル系列を介してそれに関係するＰＲＳを送信させることができる。説明したように、受信構成要素３１２は、シンボル系列を利用するＰＲＳを取得でき、送信構成要素３１４は、受動分散要素１０６のためのシンボル系列を使用してＰＲＳを送信することができる。ＲＳ受信構成要素３１８は、ＰＲＳのうちの少なくとも１つを受信することができ、同様に（またはさらに）、ＲＳソース決定構成要素３２０は、受信されたシンボル系列および支援データに少なくとも部分的に基づいて、ＰＲＳがアクセスポイント１０２に関係するのかそれとも受動分散要素１０６に関係するのかを決定することができる。いずれの場合にも、ＲＳソース決定構成要素３２０が、アクセスポイント１０２なのかそれとも受動分散要素１０６かを見分けると、ポジション決定構成要素３２２は、たとえばＰＲＳの強度および決定されたＰＲＳソースのロケーションに少なくとも部分的に基づいて、ワイヤレスデバイス１０４のポジションを決定することができる。
【００５１】
図４を参照すると、受動分散要素を利用するアクセスポイントからのＲＳの処理を容易にするワイヤレス通信システム４００が示されている。システム４００は、ワイヤレスデバイス１０４などの１つまたは複数のワイヤレスデバイスにコアネットワーク（図示せず）へのアクセスを提供するアクセスポイント１０２を含む。さらに、アクセスポイント１０２は、マクロセルアクセスポイント、フェムトセルアクセスポイント、ピコセルアクセスポイント、モバイル基地局、その一部、および／またはワイヤレスネットワークアクセスを提供する実質的に任意のデバイスとすることができる。さらに、たとえば、ワイヤレスデバイス１０４は、ＵＥ、モデム（または他のコード付きデバイス）、その一部、および／またはワイヤレスネットワークへのアクセスを受ける実質的に任意のデバイスとすることができる。さらに、アクセスポイント１０２は、信号電力を増加させるために、受動分散要素１０６などの１つまたは複数の受動分散要素を利用することができる。説明したように、受動分散要素１０６は、ＲＦリピータ、ＲＲＨなどとすることができる。
【００５２】
アクセスポイント１０２は、アクセスポイントおよび／またはそのアクセスポイントによって用いられる１つもしくは複数の受動分散要素のＲＳに関係する支援データを生成および送信する支援データ提供構成要素４０２と、ワイヤレスデバイスにＲＳおよび／または他のデータを送信する送信構成要素３０８と、１つまたは複数の受動分散要素に、ＲＳまたは他のデータをワイヤレスデバイスに送信させるリモート送信構成要素３１０とを備えることができる。受動分散要素１０６は、アクセスポイント１０２から信号（たとえば有線接続またはワイヤレス接続を介した専用信号またはブロードキャスト）を取得する受信構成要素３１２と、アクセスポイント１０２から受信した信号を送信する送信構成要素３１４とを含むことができる。ワイヤレスデバイス１０４は、１つまたは複数のアクセスポイントおよび対応する受動分散要素に関係する支援データを取得する支援データ受信構成要素４０４と、１つまたは複数のアクセスポイントまたは対応する受動分散要素からＲＳを取得するＲＳ受信構成要素３１８と、受信したＲＳに少なくとも部分的に基づいてワイヤレスデバイス１０４のポジションを計算するポジション決定構成要素４０６とを備える。
【００５３】
一例によれば、アクセスポイント１０２は、受動分散要素１０６にＰＲＳを送信させることなく、ＰＲＳを送信することができる。しかし、アクセスポイント１０２は、受動分散要素１０６にＣＲＳを送信させて、受動分散要素１０６から受信するデバイスが、受動分散要素１０６と通信（たとえば、それから受信した信号に対してチャネル推定を実施するなど）できるようにすることができる。この例では、（説明したように、たとえば、受動分散要素１０６から受信されたＣＲＳがアクセスポイント１０２に関係し、受動分散要素１０６がリモートで配置されるので）アクセスポイント１０２は、ワイヤレスデバイス１０４に、ポジションを決定する際にＣＲＳを考慮しないように通知することができる。したがって、この例では、支援データ提供構成要素３０６は、ワイヤレスデバイス１０４に、ポジショニングを決定する際にＰＲＳのみを使用されるべきことを示す支援データを送信することができる。支援データ受信構成要素４０４は、ポジショニングのためのＰＲＳの測定で利用するために、この指示を取得することができる。
【００５４】
この点について、たとえば、送信構成要素３０８は、アクセスポイント１０２に関係するＰＲＳを送信でき、リモート送信構成要素３１０は、送信のために受動分散要素１０６にＰＲＳを転送することを抑制することができる。ＲＳ受信構成要素３１８は、ＰＲＳを得ることができる。ポジション決定構成要素４０６は、たとえば、ＰＲＳが実際にＰＲＳである（ＣＲＳまたは他のＲＳではない）ことを決定でき、ＰＲＳに少なくとも部分的に基づいてワイヤレスデバイス１０４のポジションを決定することができる。さらに、送信構成要素３０８はＣＲＳを送信でき、リモート送信構成要素３１０は、受動分散要素１０６にＣＲＳを送信させることができる。受信構成要素３１２はＣＲＳを受信でき、送信構成要素３１４はＣＲＳを送信することができる。ＲＳ受信構成要素３１８は、アクセスポイント１０２および／または受動分散要素１０６からＣＲＳを受信することができる。しかし、ポジション決定構成要素３２２は、たとえば、支援データ中のインジケータに少なくとも部分的に基づいてワイヤレスデバイス１０４のポジションを決定するためにＣＲＳを無視することができる。
【００５５】
別の実施例では、支援データ提供構成要素４０２は、インジケータをさまざまな値に設定することができる。たとえば、インジケータは、１つの値はポジションを決定する際にＰＲＳを利用することのみを示すが、他の値はポジションを決定する際にＰＲＳを利用することのみを示さない、１ビットのインジケータとすることができる。したがって、支援データ提供構成要素４０２がインジケータに後者の値に設定することを知らせるとき、ＲＳ受信構成要素３１８は、上述のＰＲＳおよびＣＲＳ（複数可）を取得でき、ポジション決定構成要素４０６は、ＰＲＳおよび／またはＣＲＳ（複数可）に少なくとも部分的に基づいてワイヤレスデバイス１０４のポジションを見分けることができる。この例では、支援データ提供構成要素４０２が、アクセスポイント１０２に関係するロケーション情報を支援データ内にさらに含むことができることを了解されたい。さらに、このインジケータ値は、たとえば、セル内のすべてのＲＳがアクセスポイント１０２によって生成される（したがって、説明したように、ＲＳからロケーションを決定する際に受動分散要素と混同されない）ように受動分散要素１０６が存在しない場合に利用することができる。
【００５６】
次に図５〜９を参照すると、本明細書において記載される種々の態様に従って実施できる方法が示されている。説明を簡単にするために、方法を一連の動作として示し、説明しているが、いくつかの動作は、１つまたは複数の態様によれば、本明細書において示し説明する順序と異なる順序で行われてもよく、および／または本明細書において示し説明する動作以外の動作と同時に行われてもよいので、方法は動作の順序に制限されないことを理解し、了解されたい。たとえば、方法が代替方法として、状態図におけるように、一連の相互に関係する状態またはイベントとして表すことができることは、当業者には理解し、了解されよう。さらに、１つまたは複数の態様による方法を実施するために、説明する動作がすべて必要とされるわけではない。
【００５７】
図５を参照すると、アクセスポイントからのＰＲＳと受動分散要素からのＰＲＳを区別するための例示的な方法５００が示されている。５０２では、ＰＲＳをアクセスポイントから受信することができる。５０４では、このアクセスポイントによって用いられる受動分散要素から、異なるＰＲＳを受信することができる。説明したように、たとえば、ＰＲＳは、ＰＲＳおよび異なるＰＲＳが送信／受信される１組のリソース、ＰＲＳおよび異なるＰＲＳを備えるシンボル系列などに少なくとも部分的に基づいて、異なるＰＲＳとは異なる。５０６では、ＰＲＳをアクセスポイントと、異なるＰＲＳを受動分散要素と関連付けることができる。これは、ＰＲＳの違い（たとえば、関連付けられた１組のリソース、シンボル系列など）に少なくとも部分的に基づくことができる。ＰＲＳおよび異なるＰＲＳが適切なノードと関連付けられると、それらのＰＲＳは、ポジショニングデータなどの１つまたは複数のメトリクスを計算するために利用することができる。一例では、説明したように、アクセスポイントのＰＲＳと受動分散要素の異なるＰＲＳ、アクセスポイントのロケーションと受動分散要素のロケーションなどを区別するためのパラメータを含む支援データを受信することができる。
【００５８】
次に図６を参照すると、支援データに少なくとも部分的に基づいてＰＲＳとアクセスポイントおよび受動分散要素との関連を容易にする例示的な方法６００が示されている。６０２では、アクセスポイントおよび１つまたは複数の受動分散要素によって送信されるＰＲＳに関係するアクセスポイントから支援データを受信することができる。説明したように、受動分散要素は、セルのカバレッジを拡張するためにアクセスポイントによって利用されることができる。さらに、説明したように、支援データは、アクセスポイントによって送信されるＰＲＳに対応する複数組のリソースおよび受動分散要素によって送信されるＰＲＳに対応する異なる複数組のリソース、ＰＲＳを備えるシンボル系列および異なるＰＲＳを備える異なるシンボル系列、アクセスポイントに関係するロケーションおよび受動分散要素のうち少なくとも１つに関係する異なるロケーションなどに関係する１つまたは複数のパラメータを含むことができる。６０４では、アクセスポイントからＰＲＳを、受動分散要素から異なるＰＲＳを受信することができる。説明したように、このＰＲＳおよびこの異なるＰＲＳは、関係するリソース、シンボル系列などについて異なり得る。したがって、６０６では、支援データに少なくとも部分的に基づいて、ＰＲＳはアクセスポイントに関連し、異なるＰＲＳは受動分散要素に関連することができる。
【００５９】
図７を参照すると、ポジションの計算に利用できる信号の決定を容易にする例示的な方法７００が示されている。７０２では、ポジションを決定するために１つまたは複数のアクセスポイントまたは受動分散要素から受信可能な１つまたは複数の信号タイプを指定するインジケータを受信することができる。一例では、受動分散要素は、対応するアクセスポイントに関係するＣＲＳを送信することができる。したがって、ポジショニングに（ＰＲＳのみを使用する代わりに）ＣＲＳを使用しないように指定することにより、その結果発生する混乱を軽減することができる。しかし、アクセスポイントは、受動分散要素を有さない場合、ポジショニングを決定するために実質的に任意のＲＳを利用できることを示すことができる。説明したように、一例では、これは、支援データ内の１ビットのインジケータとすることができる。いずれの場合にも、７０４では、ポジショニングデータを決定するために１つまたは複数の信号タイプの信号を測定することができる。
【００６０】
次に図８を参照すると、受動分散要素を介したＰＲＳと異なるＰＲＳの通信を容易にする例示的な方法８００が示されている。８０２では、ＰＲＳを送信するために１つまたは複数のパラメータを生成することができる。８０４では、異なるＰＲＳに関係する１つまたは複数の異なるパラメータを生成することができる。説明したように、１つまたは複数のパラメータおよび１つまたは複数の異なるパラメータは、ＰＲＳの送信に利用する１組のリソースおよび異なるＰＲＳの送信に利用する異なる１組のリソース、ＰＲＳを備えるシンボル系列および異なるＰＲＳを備える異なるシンボル系列などに対応することができる。さらに、たとえば、１つまたは複数のパラメータまたは異なるパラメータは、（アクセスポイントのロケーションおよび対応する受動分散要素のロケーションなども含むことができる）支援データを使用してワイヤレスデバイスに通信することができる。別の実施例では、異なるＰＲＳに関係する１つまたは複数の異なるパラメータは、受動分散要素で異なるＰＲＳまたはＰＲＳを送信しないように指定することができる。８０６では、ＰＲＳは、１つまたは複数のパラメータに従ってワイヤレスネットワークで送信することができる。この点について、説明したように、たとえば、ワイヤレスデバイスは、たとえばポジションを決定するためにＰＲＳ（および／または異なるＰＲＳが送信された場合は、異なるＰＲＳ）を利用することができる。
【００６１】
図９を参照すると、ポジションの決定に利用できる１つまたは複数の信号タイプの指示を容易にする例示的な方法９００が示されている。９０２では、ポジショニングデータを計算するために受信可能な１つまたは複数の信号タイプに関係する１つまたは複数のワイヤレスデバイスに指示を送信することができる。説明したように、この指示を支援データ内で受け取ることができる。指示は、たとえば、ポジションを決定するためにＰＲＳのみを使用するべきかどうかを指定する１ビットのインジケータとすることができる。９０４では、１つまたは複数のワイヤレスデバイスに１つまたは複数の信号タイプの信号を送信することができる。したがって、ワイヤレスデバイスは、ポジションを決定するために少なくとも信号（たとえば、および他のアクセスポイントまたは受動分散要素からの１つまたは複数のタイプの他の信号）を利用することができる。
【００６２】
本明細書において説明する１つまたは複数の態様によれば、アクセスポイントでＰＲＳを、関係する受動分散要素で異なるＰＲＳを送信し、ＰＲＳおよび異なるＰＲＳのためのシンボル系列の生成などのためのリソースの決定に関する推論を行うことができることが了解されよう。本明細書では、「推論する」または「推論」という用語は、一般に、イベントおよび／またはデータにより得られた一連の観測からのシステム、環境、および／またはユーザについての状態の推理またはその推論のプロセスを指す。推論は、たとえば、特定の状況または動作を識別するために用いることもできるし、状態に関する確率分布を生成することもできる。この推論は、確率的、すなわちデータおよびイベントの考慮に基づく、対象となる状態に関する確率分布の計算とすることができる。推論は、１組のイベントおよび／またはデータからの、より高いレベルの構成に用いられる技法も指すことができる。このような推論の結果、イベントが時間的に近接して関連しているかどうか、ならびにイベントおよびデータが１つまたはいくつかのイベントおよびデータソースに由来するかにかかわらず、１組の観測されたイベントおよび／または記憶されたイベントデータから新規イベントまたは動作が構築される。
【００６３】
図１０を参照すると、アクセスポイントから送られたＰＲＳと関係する受動分散要素から送られたＰＲＳの区別を容易にするシステム１０００が示されている。たとえば、システム１０００は、少なくとも一部は、基地局、モバイルデバイス、またはワイヤレスネットワークへのアクセスを提供する別のデバイス内に存在することができる。システム１０００は複数の機能ブロックを含むように表されており、これらの機能ブロックは、コンピュータ可読記憶媒体から取り出された命令および／またはデータを使用してプロセッサによって実施される機能を表す機能ブロックとすることができることを了解されたい。システム１０００は、連携して機能できる電気的構成要素の論理グルーピング１００２を含む。たとえば、論理グルーピング１００２は、アクセスポイントからＰＲＳを、アクセスポイント１００４によって用いられる受動分散要素から異なるＰＲＳを受信するための電気的構成要素を含むことができる。説明したように、異なるリソースを介して、異なるシンボル系列から構成されるなど、ＰＲＳおよび異なるＰＲＳを受信することができる。さらに、論理グルーピング１００２は、ＰＲＳをアクセスポイントと、異なるＰＲＳを受動分散要素１００６と関連付けるための電気的構成要素を備えることができる。
【００６４】
説明したように、たとえば、電気的構成要素１００６は、ＰＲＳおよび異なるＰＲＳのさまざまなパラメータ（たとえば、リソース、シンボル系列など）を識別することに少なくとも部分的に基づいて関連付けることができる。さらに、この点について、論理グルーピング１００２は、ＰＲＳまたは異なるＰＲＳ１００８に関係する複数組のリソースまたはシンボル系列を含むアクセスポイントから支援データを受信するための電気的構成要素を含むことができる。さらに、システム１０００は、電気的構成要素１００４、１００６、および１００８に関連付けられた機能を実行するための命令および／またはデータを保持するメモリ１０１０を含むことができる。電気的構成要素１００４、１００６、および１００８は、メモリ１０１０の外部にあるように示されているが、これらのうちの１つまたは複数はメモリ１０１０の内部に存在できることを理解されたい。
【００６５】
次に図１１を参照すると、ポジショニングの決定に利用するための１つまたは複数の信号タイプの決定を容易にするシステム１１００が示されている。たとえば、システム１１００は、少なくとも一部は、基地局、モバイルデバイス、またはワイヤレスネットワークへのアクセスを提供する別のデバイス内に存在することができる。システム１１００は複数の機能ブロックを含むように表されており、これらの機能ブロックは、コンピュータ可読記憶媒体から取り出された命令および／またはデータを使用してプロセッサによって実施される機能を表す機能ブロックとすることができることを了解されたい。システム１１００は、連携して機能できる電気的構成要素の論理グルーピング１１０２を含む。たとえば、論理グルーピング１１０２は、ポジション１１０４を決定するために１つまたは複数のアクセスポイントまたは受動分散要素から受信可能な１つまたは複数の信号タイプを指定するインジケータを受信するための電気的構成要素を含むことができる。
【００６６】
説明したように、このインジケータは、ポジションを決定する際にＰＲＳのみを使用するかどうかを指定でき、したがって一例では１ビットのインジケータとすることができる。たとえば、受動分散要素を利用するアクセスポイントでは、ＰＲＳのみを測定するように指定することによって、受動分散要素は、ポジショニングを決定するためにそれらの測定を許可しなくても、ＰＲＳを送信せず、依然としてＣＲＳおよび他のＲＳを送信することができる。さらに、論理グルーピング１１０２は、ポジショニングデータ１１０６を決定するために１つまたは複数の信号タイプの信号を測定するための電気的構成要素を備えることができる。さらに、システム１１００は、電気的構成要素１１０４および１１０６に関連付けられた機能を実行するための命令および／またはデータを保持するメモリ１１０８を含むことができる。電気的構成要素１１０４および１１０６は、メモリ１１０８の外部にあるように示されているが、これらのうちの１つまたは複数はメモリ１１０８の内部に存在できることを理解されたい。
【００６７】
図１２を参照すると、ＰＲＳを送信することおよび受動分散要素に異なるＰＲＳを送信させることを容易にするシステム１２００が示されている。たとえば、システム１２００は、少なくとも一部は、基地局、モバイルデバイス、またはワイヤレスネットワークへのアクセスを提供する別のデバイス内に存在することができる。システム１２００は複数の機能ブロックを含むように表されており、これらの機能ブロックは、コンピュータ可読記憶媒体から取り出された命令および／またはデータを使用してプロセッサによって実施される機能を表す機能ブロックとすることができることを了解されたい。システム１２００は、連携して機能できる電気的構成要素の論理グルーピング１２０２を含む。たとえば、論理グルーピング１２０２は、ＰＲＳを送信するための１つまたは複数のパラメータおよび異なるＰＲＳを送信するための１つまたは複数の異なるパラメータを生成するための電気的構成要素を含むことができ、この異なるＰＲＳは、受動分散要素１２０４に関係する。説明したように、異なるリソースを介して、異なるシンボル系列を使用してなど、ＰＲＳおよび異なるＰＲＳを生成することができる。さらに、論理グルーピング１２０２は、１つまたは複数のパラメータ１２０６に応じてワイヤレスネットワークでＰＲＳを送信するための電気的構成要素を備えることができる。
【００６８】
さらに、論理グルーピング１２０２は、１つまたは複数の異なるパラメータ１２０８に従って異なるＰＲＳを送信するために受動分散要素に異なるＰＲＳを提供するための電気的構成要素を含むことができる。この点について、説明したように、ＰＲＳおよび異なるＰＲＳを受信するワイヤレスデバイスは、（たとえば、ポジションを決定するために）この２つを区別することができる。そのうえ、論理グルーピング１２０２は、１つまたは複数のワイヤレスデバイス１２１０に支援データを送信するための電気的構成要素を含む。説明したように、たとえば、支援データは、ＰＲＳおよび異なるＰＲＳ、アクセスポイントおよび受動分散要素のロケーションなどの識別を容易にするために、ＰＲＳおよび異なるＰＲＳに関係する複数組のリソース、シンボル系列などを含むことができる。さらに、システム１２００は、電気的構成要素１２０４、１２０６、１２０８、および１２１０に関連付けられた機能を実行するための命令および／またはデータを保持するメモリ１２１２を含むことができる。電気的構成要素１２０４、１２０６、１２０８、および１２１０は、メモリ１２１２の外部にあるように示されているが、これらのうちの１つまたは複数はメモリ１２１２の内部に存在できることを理解されたい。
【００６９】
次に図１３を参照すると、ポジションの決定に使用可能な１つまたは複数の信号タイプの指示を容易にするシステム１３００が示されている。たとえば、システム１３００は、少なくとも一部は、基地局、モバイルデバイス、またはワイヤレスネットワークへのアクセスを提供する別のデバイス内に存在することができる。システム１３００は複数の機能ブロックを含むように表されており、これらの機能ブロックは、コンピュータ可読記憶媒体から取り出された命令および／またはデータを使用してプロセッサによって実施される機能を表す機能ブロックとすることができることを了解されたい。システム１３００は、連携して機能できる電気的構成要素の論理グルーピング１３０２を含む。たとえば、論理グルーピング１３０２は、ポジショニングデータ１３０４を計算するために受信可能な１つまたは複数の信号タイプに関係する１つまたは複数のワイヤレスデバイスに指示を送信するための電気的構成要素を含むことができる。
【００７０】
説明したように、このインジケータは、ポジションを決定する際にＰＲＳのみを使用するかどうかを指定でき、したがって一例では１ビットのインジケータとすることができる。たとえば、システム１３００が受動分散要素を利用する場合、ＰＲＳのみを測定するように指定することによって、受動分散要素は、リモートに配置された受動分散要素がシステム１３００のＲＳを送信することに起因する混乱を緩和するようにポジショニングを決定するためにそれらの測定を許可しなくても、ＰＲＳを送信せず、依然としてＣＲＳおよび他のＲＳを送信することができる。さらに、論理グルーピング１３０２は、１つまたは複数のワイヤレスデバイス１３０６に１つまたは複数の信号タイプの信号を送信するための電気的構成要素を備えることができる。さらに、システム１３００は、電気的構成要素１３０４および１３０６に関連付けられた機能を実行するための命令および／またはデータを保持するメモリ１３０８を含むことができる。電気的構成要素１３０４および１３０６は、メモリ１３０８の外部にあるように示されているが、これらのうちの１つまたは複数はメモリ１３０８の内部に存在できることを理解されたい。
【００７１】
図１４は、本明細書において説明する機能の種々の態様を実施するために利用できるシステム１４００のブロック図である。一例では、システム１４００は、基地局またはノードＢ１４０２を含む。図示のように、ノードＢ１４０２は、１つまたは複数の受信（Ｒｘ）アンテナ１４０６を介して１つまたは複数のＵＥ１４０４から信号（複数可）を受信し、１つまたは複数の送信（Ｔｘ）アンテナ１４０８を介して１つまたは複数のＵＥ１４０４に送信することができる。さらに、ノードＢ１４０２は、受信アンテナ（複数可）１４０６から情報を受信する受信機１４１０を備えることができる。一例では、受信機１４１０は、受信した情報を復調する復調器（Ｄｅｍｏｄ）１４１２に動作可能に関連付けられることができる。次に、復調されたシンボルは、プロセッサ１４１４によって分析することができる。プロセッサ１４１４はメモリ１４１６に結合でき、メモリ１４１６は、コードクラスタ、アクセス端末の割り当て、それに関係するルックアップテーブル、固有のスクランブル系列に関係する情報、および／または他の適切なタイプの情報を記憶することができる。一例では、ノードＢ１４０２は、プロセッサ１４１４を用いて、方法５００、６００、７００、８００、９００、および／または他の類似の適切な方法を実施することができる。ノードＢ１４０２はまた、送信アンテナ（複数可）１４０８を通して送信機１４２０によって送信するための信号を多重化できる変調器１４１８を含むことができる。
【００７２】
図１５は、本明細書において説明する機能の種々の態様を実施するために利用できる別のシステム１５００のブロック図である。一例では、システム１５００は、モバイル端末１５０２を含む。図示のように、モバイル端末１５０２は、１つまたは複数の基地局１５０４から信号（複数可）を受信し、１つまたは複数のアンテナ１５０８を介して１つまたは複数の基地局１５０４を送信することができる。さらに、モバイル端末１５０２は、アンテナ（複数可）１５０８から情報を受信する受信機１５１０を備えることができる。一例では、受信機１５１０は、受信した情報を復調する復調器（Ｄｅｍｏｄ）１５１２に動作可能に関連付けられることができる。次に、復調されたシンボルは、プロセッサ１５１４によって分析することができる。プロセッサ１５１４はメモリ１５１６に結合でき、メモリ１５１６は、モバイル端末１５０２に関係するデータおよび／またはプログラムコードを記憶することができる。さらに、モバイル端末１５０２は、プロセッサ１５１４を用いて、方法５００、６００、７００、８００、９００、および／または他の類似の適切な方法を実施することができる。モバイル端末１５０２はまた、前の図で説明した１つまたは複数の構成要素を用いて、説明した機能を実現することができる。一例では、これらの構成要素は、プロセッサ１５１４によって実施されることができる。モバイル端末１５０２はまた、アンテナ（複数可）１５０８を通して送信機１５２０によって送信するための信号を多重化できる変調器１５１８を含むことができる。
【００７３】
次に図１６を参照すると、ワイヤレス多元接続通信システムの例示が種々の態様により提供されている。一例では、アクセスポイント１６００（ＡＰ）は、複数のアンテナグループを含む。図１６に示すように、あるアンテナグループはアンテナ１６０４および１６０６を含むことができ、別のアンテナグループはアンテナ１６０８および１６１０を含むことができ、別のアンテナグループはアンテナ１６１２および１６１４を含むことができる。図１６では、各アンテナグループに対して２本のアンテナのみが示されているが、これより多いかまたは少ないアンテナを各アンテナグループに対して利用できることを了解されたい。別の例では、アクセス端末１６１６はアンテナ１６１２および１６１４と通信でき、ここでアンテナ１６１２および１６１４は、順方向リンク１６２０を介してアクセス端末１６１６に情報を送信し、逆方向リンク１６１８を介してアクセス端末１６１６から情報を受信する。追加および／または代替として、アクセス端末１６２２はアンテナ１６０６および１６０８と通信でき、ここでアンテナ１６０６および１６０８は、順方向リンク１６２６を介してアクセス端末１６２２に情報を送信し、逆方向リンク１６２４を介してアクセス端末１６２２から情報を受信する。周波数分割複信システムでは、通信リンク１６１８、１６２０、１６２４、および１６２６は、異なる周波数を通信に使用することができる。たとえば、順方向リンク１６２０は、逆方向リンク１６１８によって使用される周波数と異なる周波数を使用することができる。
【００７４】
通信するように設計されたアンテナの各グループおよび／またはエリアは、アクセスポイントのセクタと呼ばれることがある。一態様によれば、アンテナグループは、アクセスポイント１６００によって対象とされるエリアセクタ内のアクセス端末に通信するように設計することができる。順方向リンク１６２０および１６２６を介する通信では、アクセスポイント１６００の送信アンテナは、異なるアクセス端末１６１６および１６２２に対する順方向リンクの信号対雑音比を向上させるためにビームフォーミングを利用することができる。また、そのカバレッジにわたってランダムに分散されたアクセス端末に送信するためにビームフォーミングを使用するアクセスポイントは、単一アンテナを通してそのすべてのアクセス端末に送信するアクセスポイントよりも、近接セル内のアクセス端末に対してより少ない干渉を生じさせる。
【００７５】
アクセスポイント、たとえばアクセスポイント１６００は、端末との通信に使用される固定局とすることができ、また、基地局、ノードＢ、アクセスネットワーク、および／または他の適切な用語で呼ばれることがある。さらに、アクセス端末、たとえばアクセス端末１６１６または１６２２も、モバイル端末、ユーザ機器、ワイヤレス通信デバイス、端末、ワイヤレス端末、および／または他の適切な用語で呼ばれることがある。
【００７６】
次に図１７を参照すると、本明細書において説明する種々の態様が機能できる例示的なワイヤレス通信システム１７００を示すブロック図が提供されている。一例では、システム１７００は、送信機システム１７１０と受信機システム１７５０とを含む多入力多出力（ＭＩＭＯ）システムである。ただし、送信機システム１７１０および／または受信機システム１７５０は、たとえば（たとえば、基地局上の）複数の送信アンテナが単一アンテナデバイス（たとえば、移動局）に１つまたは複数のシンボルストリームを送信できる多入力単出力システムにも適用できることを了解されたい。さらに、本明細書において説明する送信機システム１７１０および／または受信機システム１７５０の態様は、単出力単入力アンテナシステムと共に利用できることを了解されたい。
【００７７】
一態様によれば、いくつかのデータストリームのためのトラフィックデータが、送信機システム１７１０においてデータソース１７１２から送信（ＴＸ）データプロセッサ１７１４に提供される。一例では、各データストリームは、次に、それぞれの送信アンテナ１７２４を介して送信することができる。さらに、ＴＸデータプロセッサ１７１４は、符号化されたデータを提供するために、それぞれのデータストリームに対して選択された特定の符号化方式に基づいて、各データストリームのためのトラフィックデータのフォーマット、符号化、およびインターリーブを行うことができる。一例では、各データストリームのための符号化されたデータは、次に、ＯＦＤＭ技法を使用してパイロットデータと多重化することができる。このパイロットデータは、たとえば、既知の方法で処理される既知のデータパターンとすることができる。さらに、このパイロットデータは、チャネル応答を推定するために受信機システム１７５０で使用することができる。送信機システム１７１０に戻ると、各データストリームのための多重化されたパイロットデータおよび符号化されたデータは、変調シンボルを提供するために、それぞれのデータストリームに対して選択された特定の変調方式（たとえば、ＢＰＳＫ、ＱＳＰＫ、Ｍ−ＰＳＫ、またはＭ−ＱＡＭ）に基づいて変調する（すなわちシンボルマッピングする）ことができる。一例では、各データストリームに対するデータ転送速度、符号化、および変調は、プロセッサ１７３０上で実施された命令および／またはプロセッサ１７３０によって提供された命令によって決定することができる。
【００７８】
次に、すべてのデータストリームに対する変調シンボルはＴＸ  ＭＩＭＯプロセッサ１７２０に提供でき、ＴＸ  ＭＩＭＯプロセッサ１７２０は、（たとえば、ＯＦＤＭのために）変調シンボルをさらに処理することができる。ＴＸ  ＭＩＭＯプロセッサ１７２０は、次に、ＮT台のトランシーバ１７２２ａ〜１７２２ｔにＮT個の変調シンボルストリームを提供することができる。一例では、各トランシーバ１７２２は、それぞれのシンボルストリームを受信して処理し、１つまたは複数のアナログ信号を提供することができる。各トランシーバ１７２２は、次に、このアナログ信号をさらに調節（condition）して（たとえば、増幅する、フィルタリングする、およびアップコンバートする）、ＭＩＭＯチャネルを介して送信に適した変調された信号を提供することができる。したがって、次に、トランシーバ１７２２ａ〜１７２２ｔからのＮT個の変調された信号は、それぞれＮT本のアンテナ１７２４ａ〜１７２４ｔから送信することができる。
【００７９】
別の態様によれば、送信された変調された信号は、受信機システム１７５０においてＮR本のアンテナ１７５２ａ〜１７５２ｒで受信することができる。各アンテナ１７５２から受信された信号は、次に、それぞれのトランシーバ１７５４に提供することができる。一例では、各トランシーバ１７５４は、それぞれの受信された信号を調節し（たとえば、フィルタリングする、増幅する、およびダウンコンバートする）、この調節された信号をデジタル化してサンプルを提供し、次にこのサンプルを処理して対応する「受信された」シンボルストリームを提供することができる。次に、ＲＸ  ＭＩＭＯ／データプロセッサ１７６０は、ＮR台のトランシーバ１７５４からＮR個の受信されたシンボルストリームを受信し、特定の受信機処理技法に基づいて処理して、ＮT個の「検出された」シンボルストリームを提供することができる。一例では、各検出されたシンボルストリームは、対応するデータストリームに対して送信された変調シンボルの推定であるシンボルを含むことができる。ＲＸ  ＭＩＭＯ／データプロセッサ１７６０は、次に、各検出されたシンボルストリームを復調し、デインターリーブし、復号することによって、各シンボルストリームを少なくとも部分的に処理し、対応するデータストリームに対するトラフィックデータを復元することができる。したがって、ＲＸ  ＭＩＭＯ／データプロセッサ１７６０による処理は、送信機システム１７１０においてＴＸ  ＭＩＭＯプロセッサ１７２０およびＴＸデータプロセッサ１７１８によって実施される処理と相補的なものとすることができる。ＲＸ  ＭＩＭＯ／データプロセッサ１７６０は、さらに、データシンク１７６４に処理されたシンボルストリームを提供することができる。
【００８０】
一態様によれば、ＲＸ  ＭＩＭＯ／データプロセッサ１７６０によって生成されるチャネル応答推定は、受信機における空間／時間処理の実施、電力レベルの調整、変調速度もしくは変調方式の変更、および／または他の適切な行為を実施するために使用することができる。さらに、ＲＸ  ＭＩＭＯ／データプロセッサ１７６０は、さらに、たとえば検出されたシンボルストリームの信号対雑音干渉比（ＳＮＲ）などのチャネル特性を推定することができる。ＲＸ  ＭＩＭＯ／データプロセッサ１７６０は、次に、プロセッサ１７７０に推定されたチャネル特性を提供することができる。一例では、ＲＸ  ＭＩＭＯ／データプロセッサ１７６０および／またはプロセッサ１７７０は、さらに、システムの「動作」ＳＮＲの推定を導出することができる。次に、プロセッサ１７７０はチャネル状態情報（ＣＳＩ）を提供でき、ＣＳＩは、通信リンクおよび／または受信されたデータストリームに関する情報を備えることができる。この情報は、たとえば、動作ＳＮＲを含むことができる。ＣＳＩは、次に、ＴＸデータプロセッサ１７１８によって処理され、変調器１７８０によって変調され、トランシーバ１７５４ａ〜１７５４ｒによって調節され、送信機システム１７１０に返送されることができる。さらに、受信機システム１７５０におけるデータソース１７１６は、ＴＸデータプロセッサ１７１８によって処理されるべき追加データを提供することができる。
【００８１】
送信機システム１７１０に戻ると、次に、受信機システム１７５０からの変調された信号は、アンテナ１７２４によって受信され、トランシーバ１７２２によって調節され、復調器１７４０によって復調され、ＲＸデータプロセッサ１７４２によって処理されて、受信機システム１７５０によって報告されたＣＳＩを復元することができる。一例では、次に、この報告されたＣＳＩは、プロセッサ１７３０に提供され、１つまたは複数のデータストリームに対して使用すべきデータ転送速度ならびにコーディングおよび変調方式を決定するために使用されることができる。次いで、この決定されたコーディングおよび変調方式は、量子化のために、および／または後で受信機システム１７５０への送信に使用するために、トランシーバ１７２２に提供することができる。追加および／または代替として、報告されたＣＳＩは、ＴＸデータプロセッサ１７１４およびＴＸ  ＭＩＭＯプロセッサ１７２０に対する種々の制御を発生させるためにプロセッサ１７３０によって使用することができる。別の例では、ＣＳＩおよび／またはＲＸデータプロセッサ１７４２によって処理される他の情報は、データシンク１７４４に提供することができる。
【００８２】
一例では、送信機システム１７１０におけるプロセッサ１７３０および受信機システム１７５０におけるプロセッサ１７７０は、それぞれのシステムにおける動作を指示する。さらに、送信機システム１７１０におけるメモリ１７３２および受信機システム１７５０におけるメモリ１７７２は、それぞれプロセッサ１７３０および１７７０によって使用されるプログラムコードおよびデータの記憶域を提供することができる。さらに、受信機システム１７５０では、種々の処理技法を使用し、ＮR個の受信された信号を処理して、ＮT個の送信されたシンボルストリームを検出することができる。これらの受信機処理技法は、等化技法とも呼ばれることがある空間受信機処理技法および空間時間受信機処理技法ならびに／あるいは「逐次干渉除去」または「逐次除去」受信機処理技法とも呼ばれることがある「逐次ヌル化／等化および干渉除去（successive nulling/equalization and interference cancellation）」受信機処理技法を含むことができる。
【００８３】
本明細書において説明する態様は、ハードウェア、ソフトウェア、ファームウェア、ミドルウェア、マイクロコード、またはこれらの任意の組み合わせによって実施できることを理解されたい。システムおよび／または方法は、ソフトウェア、ファームウェア、ミドルウェアまたはマイクロコード、プログラムコードまたはコードセグメントで実施されるとき、記憶構成要素などの機械可読媒体に記憶することができる。コードセグメントは、手続き、関数、サブプログラム、プログラム、ルーチン、サブルーチン、モジュール、ソフトウェアパッケージ、クラス、または命令、データ構造、もしくはプログラム文の任意の組み合わせを表すことができる。コードセグメントは、情報、データ、引数、パラメータ、またはメモリ内容を渡すおよび／もしくは受け取ることによって、別のコードセグメントまたはハードウェア回路に結合することができる。情報、引数、パラメータ、データなどは、メモリ共有、メッセージ受け渡し、トークンパッシング、ネットワーク送信などを含む任意の適切な手段を使用して、渡し、転送し、または送信することができる。
【００８４】
ソフトウェア実装のために、本明細書において説明する技法は、本明細書において説明する機能を実施するモジュール（たとえば、手続き、関数など）により実施することができる。ソフトウェアコードは、メモリユニットに記憶し、プロセッサによって実行することができる。このメモリユニットは、プロセッサの内部またはプロセッサの外部で実施でき、その場合、当技術分野で知られている種々の手段によりプロセッサに通信可能に結合することができる。
【００８５】
以上の説明は、１つまたは複数の態様の例を含む。もちろん、上述の態様を説明するために構成要素または方法のあらゆる考えられる組み合わせを説明することは可能ではないが、種々の態様の多数のさらなる組み合わせおよび並べ換えが可能であることが当業者には認識されよう。したがって、説明した態様は、添付の特許請求の範囲の趣旨および範囲に含まれるかかるすべての改変形態、変更形態、および変形形態を包含するものである。そのうえ、「含む」という用語が詳細な説明または特許請求の範囲のいずれかで使用される限り、そのような用語は、「備える」という用語が特許請求の範囲内で移行語として用いられるときに解釈されるように「備える」と同様に包括的であることが意図されている。そのうえ、詳細な説明または特許請求の範囲のいずれかで使用される「または」という用語は、「非排他的論理和」であることを意味する。
以下に他の実施形態を示す。
［１］アクセスポイントからポジショニング基準信号（ＰＲＳ）を受信することと、
前記アクセスポイントによって用いられる受動分散要素から異なるＰＲＳを受信することと、
前記ＰＲＳを前記アクセスポイントと、前記異なるＰＲＳを前記受動分散要素と関連付けることとを備える、ワイヤレス通信の方法。
［２］前記異なるＰＲＳを受信することが、前記ＰＲＳが受信される１組のリソースとは異なる１組のリソースを介して前記異なるＰＲＳを受信することを含む、［１］に記載の方法。
［３］前記異なるＰＲＳを受信することが、前記ＰＲＳのシンボル系列と異なるシンボル系列を介して前記異なるＰＲＳを受信することを含む、［１］に記載の方法。
［４］前記アクセスポイントから支援データを受信することをさらに備え、前記ＰＲＳを前記アクセスポイントと、前記異なるＰＲＳを前記受動分散要素と関連付けることが、前記支援データに少なくとも部分的に基づく、［１］に記載の方法。
［５］前記支援データを受信することが、前記アクセスポイントのロケーションおよび前記受動分散要素の異なるロケーションを受信することを含む、［４］に記載の方法。
［６］前記ロケーションおよび前記アクセスポイントおよび前記受動分散要素の前記異なるロケーションならびに前記ＰＲＳおよび前記異なるＰＲＳに少なくとも部分的に基づいてポジションを決定することをさらに備える、［５］に記載の方法。
［７］前記支援データを受信することが、前記ＰＲＳおよび前記異なるＰＲＳに関係する異なる複数組のリソースまたは異なるシンボル系列を受信することを含む、［４］に記載の方法。
［８］アクセスポイントからポジショニング基準信号（ＰＲＳ）を取得し、
前記アクセスポイントに関係する受動分散要素から異なるＰＲＳを取得し、
前記アクセスポイントに関係する前記ＰＲＳと前記受動分散要素に関係する前記異なるＰＲＳを識別する
ように構成された、少なくとも１つのプロセッサと、
前記少なくとも１つのプロセッサに結合されたメモリとを備えるワイヤレス通信装置。
［９］前記ＰＲＳに関係する１組のリソースが、前記異なるＰＲＳに関係する１組のリソースと異なる、［８］に記載のワイヤレス通信装置。
［１０］前記ＰＲＳのシンボル系列が、前記異なるＰＲＳのシンボル系列と異なる、［８］に記載のワイヤレス通信装置。
［１１］前記少なくとも１つのプロセッサが、さらに、前記アクセスポイントから支援データを受信するように構成され、前記少なくとも１つのプロセッサが、前記支援データに少なくとも部分的に基づいて、前記アクセスポイントに関係する前記ＰＲＳと前記受動分散要素に関係する前記異なるＰＲＳを識別する、［８］に記載のワイヤレス通信装置。
［１２］前記支援データが、前記アクセスポイントのロケーションと、前記受動分散要素の異なるロケーションとを含む、［１１］に記載のワイヤレス通信装置。
［１３］前記支援データが、前記ＰＲＳおよび前記異なるＰＲＳに関係する異なる複数組のリソースまたはシンボル系列の異なる複数の指示を含む、［８］に記載のワイヤレス通信装置。
［１４］アクセスポイントからポジショニング基準信号（ＰＲＳ）を、前記アクセスポイントによって用いられる受動分散要素から異なるＰＲＳを受信するための手段と、
前記ＰＲＳを前記アクセスポイントと、前記異なるＰＲＳを前記受動分散要素と関連付けるための手段とを備える、装置。
［１５］前記アクセスポイントから、前記ＰＲＳまたは前記異なるＰＲＳに関係する複数組のリソースまたはシンボル系列を含む支援データを受信するための手段をさらに備える、［１４］に記載の装置。
［１６］前記関連付けるための手段が、前記複数組のリソースおよび前記ＰＲＳが受信されるリソースのうちの少なくとも１つに少なくとも部分的に基づいて前記ＰＲＳを前記アクセスポイントと関連付け、前記関連付けるための手段が、前記複数組のリソースおよび前記異なるＰＲＳが受信される異なるリソースのうちの異なる１つに少なくとも部分的に基づいて前記異なるＰＲＳを前記受動分散要素と関連付ける、［１５］に記載の装置。
［１７］前記関連付けるための手段が、前記シンボル系列および前記ＰＲＳを備えるシンボル系列のうちの少なくとも１つに少なくとも部分的に基づいて前記ＰＲＳを前記アクセスポイントと関連付け、前記関連付けるための手段が、前記シンボル系列および前記異なるＰＲＳを備える異なるシンボル系列のうちの異なる１つに少なくとも部分的に基づいて前記異なるＰＲＳを前記受動分散要素と関連付ける、［１５］に記載の装置。
［１８］前記支援データが、前記アクセスポイントのロケーションと、前記受動分散要素の異なるロケーションとをさらに備える、［１５］に記載の装置。
［１９］少なくとも１台のコンピュータに、アクセスポイントからポジショニング基準信号（ＰＲＳ）を取得させるためのコードと、
前記少なくとも１台のコンピュータに、前記アクセスポイントに関係する受動分散要素から異なるＰＲＳを取得させるためのコードと、
前記少なくとも１台のコンピュータに、前記アクセスポイントに関係する前記ＰＲＳと前記受動分散要素に関係する前記異なるＰＲＳを識別させるためのコードと
を備えるコンピュータ可読媒体
を備えるコンピュータプログラム製品。
［２０］前記ＰＲＳに関係する１組のリソースが、前記異なるＰＲＳに関係する１組のリソースと異なる、［１９］に記載のコンピュータプログラム製品。
［２１］前記ＰＲＳのシンボル系列が、前記異なるＰＲＳのシンボル系列と異なる、［１９］に記載のコンピュータプログラム製品。
［２２］前記コンピュータ可読媒体が、前記少なくとも１台のコンピュータに、前記アクセスポイントから支援データを受信させるためのコードと、前記少なくとも１台のコンピュータに、前記支援データに少なくとも部分的に基づいて前記アクセスポイントに関係する前記ＰＲＳと前記受動分散要素に関係する前記異なるＰＲＳを識別させるための前記コードとをさらに備える、［１９］に記載のコンピュータプログラム製品。
［２３］前記支援データが、前記アクセスポイントのロケーションと、前記受動分散要素の異なるロケーションとを含む、［２２］に記載のコンピュータプログラム製品。
［２４］前記支援データが、前記ＰＲＳおよび前記異なるＰＲＳに関係する異なる複数組のリソースまたはシンボル系列のさまざまな指示を含む、［１９］に記載のコンピュータプログラム製品。
［２５］アクセスポイントからポジショニング基準信号（ＰＲＳ）を、前記アクセスポイントによって用いられる受動分散要素から異なるＰＲＳを取得する基準信号（ＲＳ）受信構成要素と、
前記ＰＲＳを前記アクセスポイントと、前記異なるＰＲＳを前記受動分散要素と関連付けるＲＳソース決定構成要素とを備える装置。
［２６］前記アクセスポイントから、前記ＰＲＳまたは前記異なるＰＲＳに関係する複数組のリソースまたはシンボル系列を含む支援データを取得する支援データ受信構成要素をさらに備える、［２５］に記載の装置。
［２７］前記ＲＳソース決定構成要素が、前記複数組のリソースおよび前記ＰＲＳが受信されるリソースのうちの少なくとも１つに少なくとも部分的に基づいて前記ＰＲＳを前記アクセスポイントと関連付け、前記ＲＳソース決定構成要素が、前記複数組のリソースおよび前記異なるＰＲＳが受信される異なるリソースのうちの異なる１つに少なくとも部分的に基づいて前記異なるＰＲＳを前記受動分散要素と関連付ける、［２６］に記載の装置。
［２８］前記ＲＳソース決定構成要素が、前記シンボル系列および前記ＰＲＳを備えるシンボル系列のうちの少なくとも１つに少なくとも部分的に基づいて前記ＰＲＳを前記アクセスポイントと関連付け、前記ＲＳソース決定構成要素が、前記シンボル系列および前記異なるＰＲＳを備える異なるシンボル系列のうちの異なる１つに少なくとも部分的に基づいて前記異なるＰＲＳを前記受動分散要素と関連付ける、［２６］に記載の装置。
［２９］前記支援データが、前記アクセスポイントのロケーションと、前記受動分散要素の異なるロケーションとをさらに備える、［２６］に記載の装置。
［３０］ポジションを決定するために１つまたは複数のアクセスポイントまたは受動分散要素から受信可能な１つまたは複数の信号タイプを指定するインジケータを受信することと、  ポジショニングデータを決定するために前記１つまたは複数の信号タイプの信号を測定することとを備える、ワイヤレス通信の方法。
［３１］前記インジケータを受信することが、前記ポジションを決定するためにポジショニング基準信号（ＰＲＳ）のみが受信可能であることを指定する前記インジケータを受信することを含む、［３０］に記載の方法。
［３２］１つまたは複数のＰＲＳおよび１つまたは複数の共通基準信号（ＣＲＳ）を受信することをさらに備え、前記信号を測定することが、前記ポジショニングデータを決定するために前記１つまたは複数のＰＲＳのみを測定することを含む、［３１］に記載の方法。
［３３］ポジションを決定するために１つまたは複数のアクセスポイントまたは受動分散要素から受信可能な１つまたは複数の信号タイプを指定するインジケータを取得し、
ポジショニングデータを決定するために前記１つまたは複数の信号タイプの信号を処理する
ように構成された少なくとも１つのプロセッサと、
前記少なくとも１つのプロセッサに結合されたメモリとを備える、ワイヤレス通信装置。
［３４］前記インジケータが、前記１つまたは複数の信号タイプとしてポジショニング基準信号のみを指定する、［３３］に記載のワイヤレス通信装置。
［３５］ポジションを決定するために１つまたは複数のアクセスポイントまたは受動分散要素から受信可能な１つまたは複数の信号タイプを指定するインジケータを受信するための手段と、
ポジショニングデータを決定するために前記１つまたは複数の信号タイプの信号を測定するための手段とを備える装置。
［３６］前記インジケータが、前記１つまたは複数の信号タイプとしてポジショニング基準信号のみを指定する、［３５］に記載の装置。
［３７］少なくとも１台のコンピュータに、ポジションを決定するために１つまたは複数のアクセスポイントまたは受動分散要素から受信可能な１つまたは複数の信号タイプを指定するインジケータを取得させるためのコードと、
前記少なくとも１台のコンピュータに、ポジショニングデータを決定するために前記１つまたは複数の信号タイプの信号を処理させるためのコードと
を備えるコンピュータ可読媒体
を備えるコンピュータプログラム製品。
［３８］前記インジケータが、前記１つまたは複数の信号タイプとしてポジショニング基準信号のみを指定する、［３７］に記載のコンピュータプログラム製品。
［３９］ポジションを決定するために１つまたは複数のアクセスポイントまたは受動分散要素から受信可能な１つまたは複数の信号タイプを指定するインジケータを取得する支援データ受信構成要素と、
ポジショニングデータを見分けるために前記１つまたは複数の信号タイプの信号を測定するポジション決定構成要素とを備える装置。
［４０］前記インジケータが、前記１つまたは複数の信号タイプとしてポジショニング基準信号のみを指定する、［３９］に記載の装置。
［４１］ポジショニング基準信号（ＰＲＳ）を送信するために１つまたは複数のパラメータを生成することと、
異なるＰＲＳに関係する１つまたは複数の異なるパラメータを生成することであって、前記異なるＰＲＳが受動分散要素に関係する、ことと、
前記１つまたは複数のパラメータに従ってワイヤレスネットワークで前記ＰＲＳを送信することとを備える、ワイヤレス通信の方法。
［４２］前記異なるＰＲＳに関係する前記１つまたは複数の異なるパラメータを生成することが、前記受動分散要素による前記異なるＰＲＳの送信のために前記ＰＲＳに関係する１組のリソースと異なる前記異なるＰＲＳのための１組のリソースを生成することを含む、［４１］に記載の方法。
［４３］前記異なるＰＲＳに関係する前記１つまたは複数の異なるパラメータを生成することが、前記受動分散要素による前記異なるＰＲＳの送信のために前記ＰＲＳのシンボル系列と異なる前記異なるＰＲＳのための異なるシンボル系列を生成することを含む、［４１］に記載の方法。
［４４］１つまたは複数のワイヤレスデバイスに、前記ＰＲＳを送信するための前記１つまたは複数のパラメータおよび前記異なるＰＲＳに関係する前記１つまたは複数の異なるパラメータを含む支援データを送信することをさらに備える、［４１］に記載の方法。
［４５］前記支援データを送信することが、前記１つまたは複数のワイヤレスデバイスにアクセスポイントのロケーションおよび前記受動分散要素の異なるロケーションを送信することを含む、［４４］に記載の方法。
［４６］前記支援データを送信することが、前記ＰＲＳおよび前記異なるＰＲＳが送信されるさまざまな複数組のリソースまたは前記ＰＲＳおよび前記異なるＰＲＳに関係するさまざまなシンボル系列を送信することを含む、［４４］に記載の方法。
［４７］前記１つまたは複数の異なるパラメータに従って前記異なるＰＲＳを送信するために前記受動分散要素に前記異なるＰＲＳを提供することをさらに備える、［４１］に記載の方法。
［４８］前記異なるＰＲＳに関係する前記１つまたは複数のパラメータを生成することが、前記受動分散要素における前記異なるＰＲＳまたは前記ＰＲＳの送信を抑制することに対応するために前記１つまたは複数のパラメータを生成することを含む、［４１］に記載の方法。
［４９］ポジショニング基準信号（ＰＲＳ）を送信するために１つまたは複数のパラメータを決定することと、
異なるＰＲＳを送信するために１つまたは複数の異なるパラメータを決定することであって、前記異なるＰＲＳが受動分散要素に関係する、ことと、
前記１つまたは複数のパラメータに従って前記ＰＲＳを送信することと
を行うように構成された少なくとも１つのプロセッサと、
前記少なくとも１つのプロセッサに結合されたメモリとを備えるワイヤレス通信装置。
［５０］前記１つまたは複数の異なるパラメータが、前記ＰＲＳのための異なる１組のリソースと異なる前記異なるＰＲＳのための１組のリソースを含む、［４９］に記載のワイヤレス通信装置。
［５１］前記１つまたは複数のパラメータが、前記ＰＲＳのための異なるシンボル系列と異なる前記異なるＰＲＳのためのシンボル系列を含む、［４９］に記載のワイヤレス通信装置。
［５２］前記少なくとも１つのプロセッサが、さらに、１つまたは複数のワイヤレスデバイスに、前記ＰＲＳを送信するための前記１つまたは複数のパラメータと前記異なるＰＲＳを送信するための前記１つまたは複数の異なるパラメータとを含む支援データを送信するように構成される、［４９］に記載のワイヤレス通信装置。
［５３］前記支援データが、前記ワイヤレス通信装置のロケーションと前記受動分散要素の異なるロケーションとをさらに含む、［５２］に記載のワイヤレス通信装置。
［５４］前記少なくとも１つのプロセッサが、さらに、前記１つまたは複数の異なるパラメータに従った送信のために前記異なるＰＲＳを前記受動分散要素に通信するように構成される、［４９］に記載のワイヤレス通信装置。
［５５］前記１つまたは複数の異なるパラメータが、前記受動分散要素における前記異なるＰＲＳの送信を抑制することに関係し、前記少なくとも１つのプロセッサが、前記受動分散要素に前記異なるＰＲＳを送信させることを抑制する、［４９］に記載のワイヤレス通信装置。
［５６］ポジショニング基準信号（ＰＲＳ）を送信するための１つまたは複数のパラメータおよび異なるＰＲＳを送信するための１つまたは複数の異なるパラメータを生成するための手段であって、前記異なるＰＲＳが、受動分散要素に関係する、手段と、
前記１つまたは複数のパラメータに従ってワイヤレスネットワークで前記ＰＲＳを送信するための手段とを備える装置。
［５７］前記１つまたは複数のパラメータが、前記ＰＲＳのための１組のリソースに対応し、前記１つまたは複数の異なるパラメータが、前記異なるＰＲＳのための異なる１組のリソースに対応する、［５６］に記載の装置。
［５８］前記１つまたは複数のパラメータが、前記ＰＲＳのためのシンボル系列に対応し、前記１つまたは複数の異なるパラメータが、前記異なるＰＲＳのための異なるシンボル系列に対応する、［５６］に記載の装置。
［５９］１つまたは複数のワイヤレスデバイスに支援データを送信するための手段をさらに備え、前記支援データが、前記ＰＲＳおよび前記異なるＰＲＳに関係する１つまたは複数のパラメータを含む、［５６］に記載の装置。
［６０］前記支援データが、前記装置のロケーションと、前記受動分散要素の異なるロケーションとをさらに含む、［５９］に記載の装置。
［６１］前記１つまたは複数の異なるパラメータに従って前記異なるＰＲＳを送信するために前記受動分散要素に前記異なるＰＲＳを提供するための手段をさらに備える、［５６］に記載の装置。
［６２］少なくとも１台のコンピュータに、ポジショニング基準信号（ＰＲＳ）を送信するために１つまたは複数のパラメータを決定させるためのコードと、
前記少なくとも１台のコンピュータに、異なるＰＲＳを送信するために１つまたは複数の異なるパラメータを決定させるためのコードであって、前記異なるＰＲＳが受動分散要素に関係する、コードと、
前記少なくとも１台のコンピュータに、前記１つまたは複数のパラメータに従って前記ＰＲＳを送信させるためのコードと
を備えるコンピュータ可読媒体
を備えるコンピュータプログラム製品。
［６３］前記１つまたは複数の異なるパラメータが、前記ＰＲＳのための異なる１組のリソースと異なる前記異なるＰＲＳのための１組のリソースを含む、［６２］に記載のコンピュータプログラム製品。
［６４］前記１つまたは複数のパラメータが、前記ＰＲＳの異なるシンボル系列と異なる前記異なるＰＲＳのためのシンボル系列を含む、［６２］に記載のコンピュータプログラム製品。
［６５］前記コンピュータ可読媒体が、前記少なくとも１台のコンピュータに、１つまたは複数のワイヤレスデバイスに、前記ＰＲＳを送信するための前記１つまたは複数のパラメータと前記異なるＰＲＳを送信するための前記１つまたは複数の異なるパラメータとを含む支援データを送信させるためのコードをさらに備える、［６２］に記載のコンピュータプログラム製品。
［６６］前記支援データが、アクセスポイントのロケーションと、前記受動分散要素の異なるロケーションとをさらに含む、［６５］に記載のコンピュータプログラム製品。
［６７］前記コンピュータ可読媒体が、前記少なくとも１台のコンピュータに、前記１つまたは複数の異なるパラメータに従った送信のために前記受動分散要素に前記異なるＰＲＳを通信させるためのコードをさらに備える、［６２］に記載のコンピュータプログラム製品。
［６８］前記１つまたは複数の異なるパラメータが、前記受動分散要素における前記異なるＰＲＳの送信を抑制することに関係する、［６２］に記載のコンピュータプログラム製品。
［６９］ポジショニング基準信号（ＰＲＳ）を送信するための１つまたは複数のパラメータおよび異なるＰＲＳを送信するための１つまたは複数の異なるパラメータを生成する構成要素であって、前記異なるＰＲＳが受動分散要素に関係する、構成要素と、
前記１つまたは複数のパラメータに従ってワイヤレスネットワークで前記ＰＲＳを送信する送信構成要素とを備える装置。
［７０］前記構成要素がＰＲＳリソース選択構成要素であり、前記１つまたは複数のパラメータが、前記ＰＲＳのための１組のリソースに対応し、前記１つまたは複数の異なるパラメータが、前記異なるＰＲＳのための異なる１組のリソースに対応する、［６９］に記載の装置。
［７１］前記構成要素がＰＲＳ系列決定構成要素であり、前記１つまたは複数のパラメータが、前記ＰＲＳのためのシンボル系列に対応し、前記１つまたは複数の異なるパラメータが、前記異なるＰＲＳのための異なるシンボル系列に対応する、［６９］に記載の装置。
［７２］１つまたは複数のワイヤレスデバイスに支援データを送信する支援データ提供構成要素をさらに備え、前記支援データが、前記ＰＲＳおよび前記異なるＰＲＳに関係する１つまたは複数のパラメータを含む、［６９］に記載の装置。
［７３］前記支援データが、前記装置のロケーションと、前記受動分散要素の異なるロケーションとをさらに含む、［７２］に記載の装置。
［７４］前記１つまたは複数の異なるパラメータに従って前記異なるＰＲＳを送信するために前記受動分散要素に前記異なるＰＲＳを通信するリモート送信構成要素をさらに備える、［６９］に記載の装置。
［７５］ポジショニングデータを計算するために受信可能な１つまたは複数の信号タイプに関係する１つまたは複数のワイヤレスデバイスに指示を送信することと、
前記１つまたは複数のワイヤレスデバイスに前記１つまたは複数の信号タイプの信号を送信することとを備える、ワイヤレス通信の方法。
［７６］前記指示を送信することが、ポジショニングデータを計算するためにポジショニング基準信号のみが受信可能であることをシグナリングすることを含む、［７５］に記載の方法。
［７７］ポジショニングデータを計算するために１つまたは複数の信号タイプに関係する１つまたは複数のワイヤレスデバイスに指示を提供し、
前記１つまたは複数のワイヤレスデバイスに前記１つまたは複数の信号タイプの信号を送信する
ように構成された少なくとも１つのプロセッサと、
前記少なくとも１つのプロセッサに結合されたメモリとを備えるワイヤレス通信装置。
［７８］前記１つまたは複数の信号タイプが、ポジショニング基準信号のみに関係する、［７７］に記載のワイヤレス通信装置。
［７９］ポジショニングデータを計算するために受信可能な１つまたは複数の信号タイプに関係する１つまたは複数のワイヤレスデバイスに指示を送信するための手段と、
前記１つまたは複数のワイヤレスデバイスに前記１つまたは複数の信号タイプの信号を送信するための手段とを備える装置。
［８０］前記１つまたは複数の信号タイプが、ポジショニング基準信号に関係する、［７９］に記載の装置。
［８１］少なくとも１台のコンピュータに、ポジショニングデータを計算するために１つまたは複数の信号タイプに関係する１つまたは複数のワイヤレスデバイスに指示を提供させるためのコードと、
前記少なくとも１台のコンピュータに、前記１つまたは複数のワイヤレスデバイスに前記１つまたは複数の信号タイプの信号を送信させるためのコードと
を備えるコンピュータ可読媒体
を備えるコンピュータプログラム製品。
［８２］前記１つまたは複数の信号タイプが、ポジショニング基準信号のみに関係する、［８１］に記載のコンピュータプログラム製品。
［８３］ポジショニングデータを計算するために受信可能な１つまたは複数の信号タイプに関係する１つまたは複数のワイヤレスデバイスに指示を送信する支援データ提供構成要素と、
前記１つまたは複数のワイヤレスデバイスに前記１つまたは複数の信号タイプの信号を通信する送信構成要素とを備える装置。
［８４］前記１つまたは複数の信号タイプが、ポジショニング基準信号に関係する、［８３］に記載の装置。
【図１】
0005931723.tif 000002
【図２】
0005931723.tif 000003
【図３】
0005931723.tif 000004
【図４】
0005931723.tif 000005
【図５】
0005931723.tif 000006
【図６】
0005931723.tif 000007
【図７】
0005931723.tif 000008
【図８】
0005931723.tif 000009
【図９】
0005931723.tif 000010
【図１０】
0005931723.tif 000011
【図１１】
0005931723.tif 000012
【図１２】
0005931723.tif 000013
【図１３】
0005931723.tif 000014
【図１４】
0005931723.tif 000015
【図１５】
0005931723.tif 000016
【図１６】
0005931723.tif 000017
【図１７】
0005931723.tif 000018